(57)【要約】【課題】活性酸素種を十分に含有した水の生成が可能であると共に、微生物の除菌や寄生虫の駆虫、原虫類の駆除を行うことができ、しかも、その強力な酸化能力を持続させ、省電力で、かつ、コンパクトで様々な機器に応用可能な光触媒反応水生成装置を提供する。【解決手段】すなわち、光源からの光を光触媒体に照射して生じた活性酸素種を水中で拡散することにより、水に活性酸素種の機能を付与し、この水による酸化反応を利用した微生物の除菌、寄生虫の駆虫、原虫類の駆除の少なくともいずれか１つを行うこととした。【選択図】図１
2007043592.tif 000002
【特許請求の範囲】
【請求項１】
光源からの光を光触媒体に照射して生じた活性酸素種を水中で拡散することにより、水に活性酸素種の機能を付与し、この水による酸化反応を利用した微生物の除菌、寄生虫の駆虫、原虫類の駆除の少なくともいずれか１つを行うことのできる光触媒反応水生成装置。
【請求項２】
前記光触媒体は、光触媒反応を励起させるための光源の周囲に配置したことを特徴とする請求項１に記載の光触媒反応水生成装置。
【請求項３】
前記光触媒反応水生成装置は、光触媒反応槽と、前記光触媒反応槽に水を供給する給水ポンプと、前記光触媒反応槽から光触媒反応水を排出する排出回路と、を備えると共に、前記光触媒反応槽は、貯水可能な密閉容器内に、この密閉容器内の水に活性酸素を発生させるための光触媒体と、この光触媒体を励起させるための光を放射する光源と、前記光触媒体表面で発生した活性酸素種を水中で拡散させるための拡散手段と、を配設して構成し、しかも、前記密閉容器は内壁面を、前記光を反射する鏡面としたことを特徴とする請求項１または請求項２に記載の光触媒反応水生成装置。
【請求項４】
前記光触媒体を励起させるための光源は、太陽光及び／または人工光を利用することを特徴とする請求項１〜３いずれか１項に記載の光触媒反応水生成装置。
【請求項５】
前記光触媒体を励起させるための光源として、太陽光を利用する際には光ファイバーやプリズム等の反射体を利用し、水中で光触媒体に直接照射することを特徴とする請求項１〜４いずれか１項に記載の光触媒反応水生成装置。
【請求項６】
前記光触媒体を励起させるための光源として、人工光を利用する際の紫外線照射ランプは少なくとも350〜370nmの波長の紫外線を照射することを特徴とする請求項１〜４いずれか１項に記載の光触媒反応水生成装置。
【請求項７】
前記光触媒体は、有機または無機のフィルター体であってその表面をチタニア薄膜で被覆していることを特徴とする請求項１〜６いずれか１項に記載の光触媒反応水生成装置。
【請求項８】
前記光触媒体は、アルミニウム系金属のフィルター体であって、その表面をチタニア薄膜で被覆していることを特徴とする請求項１〜６いずれか１項に記載の光触媒反応水生成装置。
【請求項９】
前記光触媒体は表面にあらかじめアルミナ被膜を形成した金属製繊維体であって、その表面をチタニア薄膜で被覆していることを特徴とする請求項１〜６いずれか１項に記載の光触媒反応水生成装置。
【請求項１０】
前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成することを特徴とする請求項９に記載の光触媒反応水生成装置。
【請求項１１】
前記光触媒体は、ガラス製繊維体またはセラミックス製繊維体または不織布であって、その表面をチタニア薄膜で被覆していることを特徴とする請求項１〜６いずれか１項に記載の光触媒反応水生成装置。
【請求項１２】
前記チタニア薄膜を構成する酸化チタンは、アナターゼ型またはルチル型の結晶構造を含むことを特徴とする請求項７〜11に記載の光触媒反応水生成装置。
【請求項１３】
前記活性酸素種を水中で拡散する拡散手段は、超音波振動子による100kHz以上の超音波及び／または水中ファンによる水流であって、光触媒体及び／または水を動かすことを特徴とする請求項１〜12に記載の光触媒反応水生成装置。
【請求項１４】
前記光触媒体に接触させる水は、酸素濃度を高めた水であることを特徴とする請求項１〜13いずれか１項に記載の光触媒反応水生成装置。
【請求項１５】
前記酸素濃度を高めた水は、酸素、空気、オゾンの少なくともいずれか１種を水に接触させて生成することを特徴とする請求項14に記載の光触媒反応水生成装置。
【請求項１６】
光触媒反応による殺菌作用の上流または下流または同位置において、254〜265nmの波長の紫外線を照射する殺菌灯による殺菌作用を生起させることを特徴とする請求項１〜15いずれか１項に記載の光触媒反応水生成装置。
【発明の詳細な説明】
【技術分野】
【０００１】
本発明は、光触媒反応を用いて水中で効率良く活性酸素種を大量に発生させることにより、この活性酸素種を含む水に接触した微生物や寄生虫および原虫類を除菌・駆虫・駆除することができる光触媒反応水生成装置に関する。
【背景技術】
【０００２】
従来より、殺菌能力や物質を酸化する能力を有する水が、医療現場や食品工場、公衆浴場、プールなど衛生環境を重視する場所で利用されている。【０００３】
たとえば、このような水としては、オゾン（O3)を水に溶解したオゾン水や、紫外線殺菌灯で処理した水が通常において広く用いられている。【０００４】
しかし、オゾン水を生成するオゾン発生装置より、大量のオゾンが大気に漏れることで環境に悪影響を及ぼす等の危惧が指摘され、またオゾン特有の臭気発散や、オゾン発生時に大量の電力を消費する等の問題があり、近年使用を差し控える傾向がある。【０００５】
一方、光を光触媒体に照射して、光触媒反応を励起させ生成した、活性酸素種は、その光触媒体表面にごく近いところにおいて（通常40nmとされている）、微生物の殺菌、種々の有機化学物質の酸化分解能を有していることが知られている。すなわち、光触媒体のごく近傍においてのみではあるが、これらスーパーオキサイドアニオンラジカル（O2-）やヒドロキシラジカル（OH・）などの反応性の高い活性酸素種は水に接触して融解し、微生物やウイルスの細胞膜や機能性たんぱく質や遺伝子などを変異させ、微生物やウイルスの生存機能や増殖機能を停止させることが可能であるとされてきた。【０００６】
そこで、水中に存在する微生物を殺菌するために、たとえば図17及び図18に示す如く、水の流入口51と排出口52とを有する円筒形のタンク53の中心部分に撹拌軸54を設けると共に、同撹拌軸54には網状の光触媒体55を備えた撹拌翼56を半径方向外側へ向けて放射状に配設し、タンク内壁の所定の部位に紫外線照射用のブラックライト57を配置して、前記撹拌軸54を回転することで光触媒体55に当たる紫外線量を増加させるようにした水処理装置が提案されている（たとえば特許文献１参照）。【０００７】
この水処理装置によれば、光触媒体55への紫外線の照射効率を向上させることができ、また、撹拌翼56で水を撹拌できるので光触媒材表面に生じた活性酸素種に微生物を接触させて殺菌することができ、水中の有機物の分解が出来るとされている。【０００８】
また、従来より微生物の殺菌を必要としている分野の一つに、魚の養殖がある。【０００９】
一般に魚の養殖は、漁網を海中に張設して生け簀を形成し、この生け簀の中でカンパチやイサキ、トラフグなどの魚に給餌し成長させるようにして食用魚を養殖している。【００１０】
このような魚の養殖は、海洋中で自然に泳いでいる魚を捕獲するのに比べて、目的とする魚種を効率良く計画的に得ることができ、消費者への安定供給に貢献している。【００１１】
また、近年では養殖可能な魚種が増えており、しかも、天然魚と比較しても遜色のない品質が実現されつつあり、今後ますますの養殖業の発展が予想される。【００１２】
ところが、魚の養殖は、比較的狭隘な生け簀の中で魚を成育させるため、微生物や寄生虫による病魚が発生すると生け簀内の他の魚体に感作し、連鎖的に病魚や死魚が増加するというおそれがある。【００１３】
特に、効率や計画性が長所のひとつである魚の養殖では、寄生虫によって病魚や死魚が大量発生することで、養殖業者に多大な損害をもたらし、ひいては、市場への供給に混乱を来すことも考えられる。【００１４】
このような魚病をもたらす魚類の寄生虫は、一般に、ハダムシやエラムシに代表される外部寄生虫と、アニサキスなどの管腔内寄生虫や粘液胞子虫や血管吸虫に代表される組織内寄生虫などの内部寄生虫の２種類に分類できる。【００１５】
これらの寄生虫は、さらに魚種によっても分化分類され、それぞれの宿主特異性に関してさまざまな研究が行われている。【００１６】
一般に、寄生虫による宿主への影響は、主に呼吸障害と浸透圧障害による体液の維持管理障害によるものである。【００１７】
血管吸虫などの内部寄生虫の場合は、その虫体が問題となるよりも、むしろ、その虫体が産卵し虫卵が大量に放出された際に、虫卵が鰓の微小血管を閉塞し、魚が窒息することが問題となる。【００１８】
また、魚に寄生した外部寄生虫は、その寄生した部位から宿主の血液を吸血し、栄養を得るのであるが、その付着した上皮の上皮細胞障害を起こす事により、寄生した魚体に害を与える。殊に鰓に感作した場合は、鰓の呼吸上皮細胞の剥離および炎症による肥厚、昆棒状変化を生じて不可逆的変化となり、呼吸障害による栄養成長障害を生じる。【００１９】
特に、この外部寄生虫は、魚体が海水接触する箇所で寄生していることが多く、海水に虫体や虫卵を浮遊させて、他の魚体に感作するおそれが高く、養殖業者に多大な損害を与える寄生虫のひとつでもある。【００２０】
そこで、外部寄生虫の感作による病気の予防や治療手段として、ハダムシに関しては、海洋魚の場合、淡水浴が著効し、エラムシに関しては、過酸化水素水を浸含させた多孔質担体を生け簀内に散布し、この過酸化水素の効能により寄生虫や微生物を弱体化させて、寄生虫の寄生や微生物の感染を予防したり治療する方法が知られている（例えば、特許文献２参照。）。【００２１】
この過酸化水素水を用いる方法によれば、養殖魚が寄生虫や微生物によって死滅するおそれを緩和することができる。【００２２】
しかし、前記した撹拌翼を備える水処理装置では、光触媒反応の効率を向上させるために大型の撹拌翼を必要とし、十分量の活性酸素を含む水を生成するためには、装置自体が大型化してしまうという問題があった。また１０−６秒ときわめて短い時間しか酸化能力が持続しないため、反応局面が光触媒体のごく近傍の極めて限られた、ごく狭い領域のみでしか、その効果が得られなかった。【００２３】
また、光触媒体を小さくすることで装置を小型化することも可能であるが、光触媒反応の効率低下については解決されておらず、実用に至っていない現状であった。【００２４】
さらに、大型の装置において撹拌軸を駆動させるには、水の抵抗に抗するだけの大電力を必要とするため、エネルギー効率的にも好ましいとは言い難いものであった。【００２５】
しかも、撹拌翼に備えられている光触媒体は繊維状のアルミニウムの表面にチタニアコーティングを施したものが例示されているが、単に繊維状アルミニウムの表面にチタニアコーティングを施しただけでは光触媒反応の効率が悪く、活性酸素を含有する水を効率的に生成することが困難であった。【００２６】
また、上記過酸化水素水で養殖魚を処理する方法（一般的に過酸化水素水浴といわれる）は、その強力な過酸化水素の酸化力が養殖魚自体にも及ぶこととなる。すなわち、養殖魚体の寄生虫などを減少させることで病状を回復させるというよりは、むしろ、病気により脆弱となった魚を寄生虫などと共に淘汰して、強い魚のみを生きながらえさせるといった感が否めないものであった。【００２７】
このようにして過酸化水素水の散布により死んだ脆弱な魚は、養殖魚の収穫量を減少させ、養殖効率の低下を招いており、寄生虫に感染した魚より安全に寄生虫を駆除することが可能となれば漁獲量の増加は明らかであり、流通価格の低下ばかりでなく食の安全も確保可能となる。【００２８】
また、散布する過酸化水素は、海水中での有効濃度は200〜3000ppmもの高濃度を必要とし、希釈されるとはいえ、ホルマリン浴などの従来の薬浴方法と同様にそのまま海洋中に流出・拡散・投棄されている。このことは、養殖以外の他の海洋生物に対して影響を及ぼし、環境影響上好ましいとは言い難く、また人体への影響も未だ定かではないものである。【００２９】
しかも、駆虫効果を生起させるためには、大量の過酸化水素製剤が必要となり、これらに要するコストや運搬のための労力は、作業に従事する者に対して多大な負担を強いていた。【００３０】
このような問題点を抱えている養殖業界では、海洋中に残留する薬物などを使用することなく、しかも、養殖魚体を損傷することなく、環境に対して影響を及ぼさない駆虫用光触媒反応水生成装置や殺虫方法が望まれていた。【００３１】
そこで本発明者は、活性酸素種を十分に含有した水の生成が可能であると共に、微生物の除菌や寄生虫の駆虫を行うことができ、しかも、その強力な酸化能力を持続させ、省電力で、かつ、コンパクトで様々な機器に応用可能な光触媒反応水生成装置の研究を行って本発明を成すに至ったものである。
【特許文献１】特開２００１−３２７９６１号公報
【特許文献２】特開平０３−２００７０５号公報
【発明の開示】
【００３２】
上記課題を解決するために、本発明に係る光触媒反応水生成装置では、光源からの光を光触媒体に照射して生じた活性酸素種を水中で拡散することにより、水に活性酸素種の機能を付与し、この水による酸化反応を利用した微生物の除菌、寄生虫の駆虫、原虫類の駆除の少なくともいずれか１つを行うこととした。
【００３３】
さらに、以下の点にも特徴を有する。
（１）前記光触媒体は、光触媒体を励起させるための光源の周囲に配置したこと。
（２）前記光触媒反応水生成装置は、光触媒反応槽と、前記光触媒反応槽に水を供給する給水ポンプと、前記光触媒反応槽から光触媒反応水を排出する排出回路と、を備えると共に、前記光触媒反応槽は、貯水可能な密閉容器内に、この密閉容器内の水に活性酸素を発生させるための光触媒体と、この光触媒体を励起させるための光を放射する光源と、前記光触媒体表面で発生した活性酸素種を水中で拡散させるための拡散手段と、を配設して構成し、しかも、前記密閉容器は内壁面を前記光を反射する鏡面としたこと。
（３）前記光触媒体を励起させるための光源は、太陽光及び／または人工光を利用すること。
（４）前記光触媒体を励起させるための光源として、太陽光を利用する際には光ファイバーやプリズム等の反射体を利用し、水中で光触媒体に直接照射すること。
（５）前記光触媒体を励起させるための光源として、人工光を利用する際の紫外線照射ランプは少なくとも350〜370nmの波長の紫外線を照射すること。
（６）前記光触媒体は、有機または無機のフィルター体であってその表面をチタニア薄膜で被覆していること。
（７）前記光触媒体は、アルミニウム系金属のフィルター体であって、その表面をチタニア薄膜で被覆していること。
（８）前記光触媒体は表面にあらかじめアルミナ被膜を形成した金属製繊維体であって、その表面をチタニア薄膜で被覆していること。
（９）前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成すること。
（10）前記光触媒体は、ガラス製繊維体またはセラミックス製繊維体または不織布であって、その表面をチタニア薄膜で被覆していること。
（11）前記チタニア薄膜を構成する酸化チタンは、アナターゼ型またはルチル型の結晶構造を含むこと。
（12）前記活性酸素種を水中で拡散する拡散手段は、超音波振動子による100kHz以上の超音波及び／または水中ファンによる水流であって、光触媒体及び／または水を動かすこと。
（13）前記光触媒体に接触させる水は、酸素濃度を高めた水であること。
（14）前記酸素濃度を高めた水は、酸素、空気、オゾンの少なくともいずれか１種を水に接触させて生成すること。
（15）光触媒反応による殺菌作用の上流または下流または同位置において、254〜265nmの波長の紫外線を照射する殺菌灯による殺菌作用を行うこと。
【図面の簡単な説明】
【００３４】
【図１】本発明に係る光触媒反応水生成装置を示した外観図である。
【図２】本発明に係る光触媒反応水生成装置を示した外観図である。
【図３】本発明に係る光触媒反応水生成装置の内部を示した説明図である。
【図４】本発明に係る光触媒反応水生成装置の断面図である。
【図５】本実施形態に係る除菌用光触媒反応水生成装置を示す説明図である。
【図６】寒天培地上にコロニーを形成した微生物を示す説明図である。
【図７】寒天培地上にコロニーを形成した微生物を示す説明図である。
【図８】本実施形態に係る駆虫用光触媒反応水生成装置を示す説明図である。
【図９】本実施形態に係る駆虫用光触媒反応水生成装置を示す説明図である。
【図１０】本実施形態に係る駆虫用光触媒反応水生成装置を示す説明図である。
【図１１】本実施形態に係る駆虫用光触媒反応水生成装置を示す説明図である。
【図１２】本実施形態に係る駆虫用光触媒反応水生成装置を示す説明図である。
【図１３】本実施形態に係る駆虫用光触媒反応水生成装置を示す説明図である。
【図１４】本実施形態に係る駆虫用光触媒反応水生成装置を示す説明図である。
【図１５】本実施形態に係る光触媒反応水生成装置を示す説明図である。
【図１６】本実施形態に係る光触媒反応水生成装置を示す説明図である。
【図１７】従来技術を示した説明図である。
【図１８】従来技術を示した説明図である。
【発明を実施するための最良の形態】
【００３５】
本発明に係る光触媒反応水生成装置は、光源からの光を光触媒体に照射して生じた活性酸素種を水中で拡散することにより、水に活性酸素種の機能を付与し、この水による酸化反応を利用し、微生物の除菌、海洋生物に寄生した寄生虫の駆虫、原虫類の駆除の少なくともいずれか１つを可能としている。【００３６】
すなわち、本発明に係る光触媒反応水生成装置では、光触媒体の表面で生じた活性酸素種を水に拡散させることで、水を媒体として微生物の除菌・殺菌や原虫類の駆除を行うようにしたものである。【００３７】
また、併せて、光触媒体の表面で生じた活性酸素種を水に拡散させることで、水を媒体として魚体に寄生する寄生虫の駆虫を行うようにしたものでもある。【００３８】
光触媒体の表面には、光触媒能を有するチタニア薄膜を形成しているので、このチタニア薄膜に紫外線ランプから放射された紫外線が当たることでチタニア薄膜が励起して光触媒体が活性化することとなる。【００３９】
活性化した光触媒体の表面では、紫外線ランプから放射された紫外線のエネルギー（ｈν）がチタニア薄膜を構成する酸化チタン（TiO2)を励起し、光触媒反応水生成装置を満たしている水が、光触媒体に接触することで、活性酸素種が生じる。この励起した光触媒体に水が接触することで、活性酸素種が生じる反応を１次反応という。【００４０】
１次反応は、次のような反応が行われていると考えられる。【００４１】
TiO2 + hν → e-+ h+VB
h+VB  → h+tr
O2 + e- →O2・-
O2・-+h+VB（h+tr）→ O2
OH- + h+VB → HO・
次いで、１次反応で生じた活性酸素種は、高い反応性を有しているため、活性酸素種同士や、水中に溶解している物質やイオンと反応を起こし、更なる生成物を生じさせる。ここで、１次反応で生じた活性酸素種が、水中に溶解している物質やイオンと起こす反応を２次反応という。【００４２】
そして、２次反応では、例えば次のような反応が起こっていると考えられる。【００４３】
O2- + O2- + 2H+ → H2O2 + O2   （過酸化水素水の生成）
他のイオンの含有されていない超純水を除き、通常の環境中に存在する水は、微量の元素イオンを含んだ状態にあるものと考えられる。特に水道水などは塩素殺菌が施されているため、下記のような２次反応が起こっているものと考えられる。【００４４】
HCl+ O2・-+OH- →ClO2 +  H2O      （亜塩素酸の生成）
ClO2 + 2OH- → HOCl +  H2O   （次亜塩素酸の生成）
また、河川や海水などの生物が存在する環境では、アンモニアが含有されており、同様に下記の２次反応が起こっているものと考えられる。【００４５】
NH3 + OH- → NO-+  2H2O      （酸化窒素イオンの生成）
上述の反応以外にも、さらに多くの２次反応が行われているのは勿論であるが、このようにして生成された２次反応物もまた、１次反応生成物（活性酸素種）と同様に、光触媒反応水の除菌効果や駆虫効果を生起する物質である。【００４６】
特に接触させる水を海水や所定の物質を溶解した水溶液とした場合には、これらの２次反応物を多種類に亘って生成させることができる。【００４７】
しかし、従来までの方法では、光触媒体よりの活性酸素種の拡散が十分に行われなかったため、光触媒体表面で生じた活性酸素種を、媒体を介することなく直接作用させて、光触媒体表面に付着している微生物のみを除菌したり、励起した光触媒の表面に寄生虫が着生しないとその効果が発現しなかった。本発明は、光触媒体から離れた場所でも、活性酸素種による除菌・殺菌・駆虫・駆除効果を享受することができるようにしたものである。以下において、前述のように媒体として機能し、活性酸素種を含有する水を光触媒反応水という。【００４８】
また、ここで光とは、可視光に限定されるものではなく、さらに波長の短い紫外線も含む概念である。【００４９】
また、光触媒体を励起させるための光源は、太陽光及び／または人工光を利用することができる。たとえば、太陽光を用いた場合は、光触媒体を励起させるための費用を削減することができ、しかも人工光で得られるより強い紫外線エネルギーを光触媒体へ照射することが可能となる。なお、水中に配設した光触媒体に光を照射する場合には、光ファイバーやプリズム等の反射体を利用し、太陽光や人工光を水中に導いて、水中で光触媒体に直接照射するようにしても良い。【００５０】
光触媒体は、ルチル型やアナターゼ型の結晶相を有する酸化チタン（チタニア）とすることができる。【００５１】
この酸化チタンを用いた光触媒体は、繊維状の担体にチタニアでディップコーティングを施すことにより、表面積を拡大させた高効率の光触媒体としても良い。【００５２】
ここで、繊維状の担体は、例えば1000番台〜7000番台等のアルミニウムを含む金属（以下、アルミニウム系金属ともいう）を好適に用いることができるが、このアルミニウム系金属を加熱して形成したアルミナ金属繊維体とすることにより、担体にチタニアが緻密にコーティングされることとなるので、さらに耐久性を向上することができる。【００５３】
このアルミナ金属繊維体は、担体を形成するアルミニウムを含む金属を所定の温度まで５℃／分の割合以下で加熱し、その後前記金属製繊維体の融点直前まで加熱して形成しても良い。【００５４】
ここで、前記所定の温度は下記の計算式で算出することができる。【００５５】
所定温度（℃）＝アルミニウムを含む金属の融点温度（℃）÷２
さらに詳しく説明すると、表面がアルミナで覆われた金属製繊維体を担体として、チタニア薄膜を形成すべくディップコーティング加工に供すると、チタニアがアルミナ被膜上に緻密に薄膜を形成することが可能となり、ムラなくチタニア薄膜を形成することができる。ムラのないチタニア薄膜が紫外線で励起すると、光触媒反応をより効率的に行うことができるため、活性酸素種をより多く発生させることができる。【００５６】
ここで金属製繊維体のアルミナ被膜は、アルミニウム系金属繊維を５℃／分の割合以下で融点の約半分の温度に至るまでゆっくり加熱して表面を酸化させた後、融点直前まで加熱してより深層までの酸化を行い、アルミナ繊維としての機能を充分に発揮する人工酸化皮膜を形成するようにしている。なお、アルミニウム系金属とは、アルミニウムと、アルミニウム合金との両者を示すものである。【００５７】
すなわち、金属製繊維体をアルミニウム系金属の融点の約半分の温度までの加熱で形成した酸化膜を用いて金属製繊維体を保護しながら、融点直前まで加熱し、均質なアルミナ被膜を形成しているものである。さらに、金属製繊維体を構成しているアルミニウム系金属の融点以上にまで加熱することにより金属製繊維体は極めて安定化された酸化被膜を形成することができる。したがって、この金属製繊維体にチタニア薄膜を形成した場合に、このチタニア薄膜と金属製繊維体との密着性を高めることができる。【００５８】
また、アルミニウム系金属の融点の約半分の温度に至るまで加熱して酸化膜を形成し、この酸化膜により金属製繊維体を保護しながら、融点直前まで加熱し、その後さらに融点を越えて焼成した金属製繊維体は、アルミナの融点近傍まで温度上昇しても繊維形態の維持が可能であり、繊維の能力としてアルミナ繊維としての機能を示すようになる。光触媒体にルチル型光触媒反応を生じるルチル型繊維とするためには、ディップコーティング加工工程で、繊維をアルミニウム系金属の融点を超える750℃以上に焼成する必要があるが、この均質なアルミナ被膜を形成している極めて安定したアルミナ金属製繊維体は繊維形態を維持しながら、チタニア薄膜との密着性の高いルチル型チタニア繊維を作ることが可能である。【００５９】
このように、チタニア薄膜と、金属製繊維体との密着性を高めることで、超音波環境中でもチタニア薄膜が金属製繊維体から剥離することなく、十分な耐久性を有する光触媒体とすることができる。【００６０】
このようにアルミニウムを含む金属からなる繊維体を加熱してアルミナ金属繊維体を形成することにより、緻密なアルミナ被膜を有するアルミナ金属繊維体とすることができるため、光触媒体の耐久性や触媒効率をさらに向上させることができる。【００６１】
ここで、活性酸素種を水に拡散させるための手段は、例えば、超音波を利用することができる。【００６２】
ここで用いる超音波振動子の効果は、投与された空気および酸素を還流中の水と混濁させ、溶存酸素濃度を高め、より細かな気泡状とした上で光触媒体繊維に表面に接触させ、光触媒反応により生じる活性酸素種の生成をよりスムーズに行うことが可能となるばかりで無く、光触媒繊維体上で惹起された光触媒反応により生じた電子を、容易に遊走可能とすることができる。【００６３】
またこの電子により光触媒繊維上で生成された活性酸素種は、繊維表面を流れる水の流速が、繊維が超音波振動により高速で移動することにより飛躍的に高まるため、水中に放出される事が可能となる。すなわち、これらの超音波は、光触媒体からの活性酸素種の遊離を促進すると共に、超音波と紫外線の波長の相互干渉作用により互いに反応を増強させている可能性が推測される。【００６４】
なお、ここでは高周波超音波（一般に500kHz以上といわれている）を生じさせる霧化用超音波振動子を使用している。この霧化用超音波振動子から発生する高周波超音波振動は、繊維の洗浄能力は低いものの、光触媒反応で生じる電子や活性酸素種等を水中へ振り払う程度の力は十分有している。【００６５】
また、使用する超音波は中周波超音波（100〜500kHz）を使用するようにしても良い。中周波超音波を使用することにより、繊維状の光触媒体に超音波が当たった際に、音波の回折性が高まり、密閉容器内での水の撹拌がさらに強めることができ、光触媒体から活性酸素種を効率良く遊離させることができる。しかも、この中周波超音波の作用により、繊維へ付着した汚れ成分等の比較的分子量の大きな物質に対する洗浄効果を生起させることもできる。但し、100kHz以下の超音波は、光触媒体の変形や、光触媒体に形成した触媒反応面の剥離損傷を生じさせるおそれがあるので、使用しない方が好ましい。【００６６】
また、活性酸素種を水に拡散させるための手段は、光触媒体を機械的に動かすようにしても、効率良く活性酸素種を水に含ませることができる。【００６７】
これらの超音波は、光触媒体20からの活性酸素種の遊離を促進すると共に、超音波と紫外線の波長の相互干渉作用により互いに反応を増強させている可能性が推測される。【００６８】
光触媒反応水生成装置では、光触媒反応による殺菌作用を生起する部位（例えば光触媒体の近傍）の上流または下流または同位置において、殺菌灯による254〜265nmの波長の紫外線を併用して照射しても良い。【００６９】
すなわち、光触媒体に供給する水を殺菌灯で処理しても良く、光触媒体によって得られた活性酸素を含む水を殺菌灯で処理しても良く、光触媒体が反応している近傍で殺菌灯による処理を行っても良い。【００７０】
換言すれば、光触媒体に接触させる水や光触媒反応水や光触媒に接触している水に254〜265nmの波長の紫外線を照射しており、それぞれの水の中の微生物に細胞膜蛋白変成を生じさせ、生成した光触媒反応水中の微生物や細菌に対する殺菌効果や寄生虫に対する駆虫効果を高めることができる。【００７１】
元来、殺菌灯による微生物の細胞膜変成は紫外線による微生物のDNAに変異障害とされているが、それは、紫外線照射の中断により、核酸は修復再生され、いわゆる光回復を生じ、細菌は再生復活するとされている。【００７２】
この作用機序について更に詳説すると、DNAの変異障害は、特にDNAの塩基配列上にチミン(thymine)が同一鎖内で２個連続して存在する部位に起こることが知られている。【００７３】
すなわち、チミンを構成するピリミジン環中の炭素２つと、隣り合うチミンのピリミジン環中の炭素２つとが、紫外線のエネルギーによりそれぞれ結合して、矩形状のシクロブチル環を形成しチミン２量体となる。【００７４】
このチミン２量体が存在するとDNAの立体構造がゆがめられることとなり、複製の際に複製フォークの進行が妨げられて、DNAの複製に誤りが生じやすくなる。また、このようなシクロブチル環は、微生物が紫外線の照射を受けることで、DNAの塩基配列上で至る所に発生することとなり、微生物は適正な生命活動の維持が困難となる。これらの反応は、DNAの紫外線障害として広く知られており、特に水中で起こりやすい反応ではなく、空気中でも生じるものである。また、人体への影響としては皮膚ガンの発生原因として扱われており、また、眼の水晶体や角膜の混濁を生じるとされている。【００７５】
ところで、紫外線の照射によって微生物のDNA上に生じたこのシクロブチル環は、微生物が持つPR酵素（photoreactivating enzyme)により可視光のエネルギーを利用してシクロブチル環を壊裂しDNAが修復される、いわゆる光回復が起こることが知られている。この光回復が起こると、シクロブチル環を形成していたチミン２量体は、もとの２つのチミンに修復されてしまい、微生物は再生し生存し続けてしまうこととなる。【００７６】
しかし、DNA障害を受けた菌体や弱った微生物は、光触媒反応水生成装置に供給され、光触媒体で発生する活性酸素種と接触することで、菌体を酸化分解され、弱った微生物に致命的なダメージを与えて確実に水中の微生物を殺菌することができる。【００７７】
殺菌灯の併用により障害を受けた微生物の細胞膜は、光触媒反応水による酸化変成をうけ、夾膜などの強い細胞膜を有する細菌に対しても、強い殺菌力を示し、核酸障害は恒久化し、光回復も発現することが出来なくなる。【００７８】
特に水槽などに光触媒反応水生成装置を設置して循環系を構成した状態で、より衛生的な光触媒反応水とすることができる。【００７９】
また、光触媒体に供給する水は、酸素、空気、オゾンの少なくともいずれか１種を水に接触させて生成することを特徴とする。また、酸素発生剤を水に接触させて生成した酸素濃度を高めた水を用いても、光触媒反応を助長することができ、効率良く水に活性酸素種を含ませることができる。【００８０】
ところで、本発明に係る光触媒反応水生成装置は、特に、微生物の殺菌を必要とする分野や、魚体の寄生虫の駆虫を必要とする分野、アメーバなどの原虫類の駆除を必要とする分野において、その絶大な効果を発揮する。そこで、以下において、除菌・殺菌・洗浄用途と、駆虫用途に大別してそれぞれの特徴について述べる。【００８１】
まず、はじめに除菌用に構成した光触媒反応水生成装置（以下、除菌用光触媒反応水生成装置ともいう。）について述べる。【００８２】
この除菌用光触媒反応水生成装置によれば、生成した光触媒反応水に微生物を接触させて除菌殺菌することにより、微生物を効果的に除菌殺菌することができる。【００８３】
この殺菌方法は、光触媒反応水に微生物を接触させることができれば特に限定されるものではなく、水と共に微生物を除菌用光触媒反応水生成装置に供給して、装置内部で微生物を活性酸素種に接触させて殺菌するようにしても良い。【００８４】
また、除菌用光触媒反応水生成装置は、生成した水を洗浄対象物に接触させるべく洗浄装置を構成することで、除菌および殺菌に加え有機物の分解を行うことができ、微生物的な汚れは勿論のこと、見た目の汚れ等も落とすことができる。【００８５】
ここでいう洗浄対象物は、例えば入れ歯、医療器具、食器、野菜、精密機器、トイレ、布地、種籾等が挙げられるが、特にこれらに限定されるものではない。【００８６】
次に、駆虫用の光触媒反応水生成装置（以下、駆虫用光触媒反応水生成装置ともいう。）について述べる。【００８７】
本発明に係る光触媒反応水生成装置は、光源からの光を光触媒体に照射して生じた活性酸素種を水中で拡散することにより、水に活性酸素種の機能を付与し、この水による酸化反応を利用した魚の寄生虫の駆虫を行うことのできる駆虫用の光触媒反応水生成装置を提供するものでもある。【００８８】
すなわち、前述の除菌用光触媒反応水生成装置と同様に、光触媒反応水を寄生虫に接触させて、魚に付着・寄生している寄生虫の駆虫を行うようにしたものである。【００８９】
ここで駆虫用光触媒反応水生成装置で用いる水は特に限定されるものではなく、たとえば、淡水、海水、浄水を問わず使用することができる。【００９０】
魚の寄生虫の駆虫を行うことのできる駆虫用光触媒反応水生成装置には、殺菌効果を生起可能な殺菌灯を備えることができる。【００９１】
ところで、これらの魚の寄生虫の駆虫を行うことのできる駆虫用光触媒反応水生成装置は、水槽などの容器に付設しても良く、また、例えば生け簀などを大きな水槽に見立てて、生け簀全体を魚の寄生虫の駆虫を行うことのできる駆虫用光触媒反応水生成装置としても良い。【００９２】
すなわち、前者の例によれば、例えば、水と魚を収納した水槽に、魚の寄生虫の駆虫を行うことのできる駆虫用光触媒反応水生成装置を付設することにより、水槽内の水を、駆虫用光触媒反応水生成装置に供給し、活性酸素種を含んだ水を再び水槽へ戻すことで、活性酸素種を含んだ水と魚とを接触させて、魚体の寄生虫を駆虫することができる。【００９３】
また、後者の例によれば、例えば、海に張設した生け簀にシート状の光触媒体を浮遊させ、太陽光で光触媒体を励起させるとともに、波の力で光触媒体を動かして、光触媒体に生じた活性酸素種を海水中に拡散する構成として魚体の寄生虫を駆虫することができる。【００９４】
この場合、光触媒体の形状は特に限定されるものではなく、無端状としたループ状のシート体であって、このシート体を駆動ローラーと、従動ローラーとに掛け回して回転自在とし、表裏反転を容易とするように構成しても良い。【００９５】
本発明に係る魚の寄生虫の駆虫を行うことのできる駆虫用光触媒反応水生成装置を利用することにより、魚に寄生する寄生虫を駆虫する駆虫方法によれば、魚体の肌に寄生するハダムシ（Lepeophtheirus salmonis、Benedenia seriolae、Benedenia skii、Neobenedenia girellae、Entobdella soleae等）、魚体の鰓に寄生するエラムシ（Heterraxine Heterocerca、Zeuxapta japonica、Bivagina tai、Heterobothrium okamotoi、Heterobothrium tetrodonis、Neoheterobothrium hirame、Neoheterobothrium affine等）などの外寄生虫を駆虫することができ、これらの寄生虫に由来する魚の病気を予防したり、治療することができる。【００９６】
この際、水温を、駆虫対象の魚の育成環境水温度の±５℃以内、好ましくは±３℃以内に調節しながら、駆虫を行うことにより、効率良く寄生虫の駆除を行いながらも、温度による負担を魚にかけることなく駆虫することができる。【００９７】
また、水中溶存酸素濃度を12mg/L以下、好ましくは10mg/L以下に調節することで、駆虫対象の魚が酸素障害によって衰弱するのを防ぎつつ、光触媒体と酸素との接触効率を向上させて駆虫効果をより好適に引き出すことができる。【００９８】
以下、本発明について、実施例を示しながら更に詳細に説明する。
【実施例１】
【００９９】
まず、図１に除菌用光触媒反応水生成装置と、駆虫用光触媒反応水生成装置との両方に転用可能な、本実施例に係る光触媒反応水生成装置１を示す。水槽33には、あらかじめ水31が収納されており、この水31は、水31中に浸漬した給水ポンプ32を駆動させることにより、給水管３を通って光触媒反応水生成装置１に送られるようにしている。【０１００】
そして、光触媒反応水生成装置１で処理された水31は、活性酸素種を豊富に含んだ光触媒反応水となって、排水管10を通り、排水口11から流下して再び水槽33内に戻るように構成している。【０１０１】
次に、光触媒反応水生成装置１のさらに詳細な構成について図２〜４を用いて説明する。【０１０２】
光触媒反応水生成装置１は、図２に示すように上部開口を有する箱状の容器本体７と、容器本体７の上部開口を密閉するように閉塞する蓋体８とからなる密閉容器６を有している。【０１０３】
この密閉容器６を構成する素材は特に限定されるものではなく、金属製、樹脂製、プラスチック製などとすることができるが、好ましくは紫外線照射によって劣化しにくい素材や、水や海水によって腐蝕されにくい耐蝕性を備える素材とすることが良い。このような素材で容器本体７や蓋体８を形成することにより、光触媒反応水生成装置１の寿命を長くすることができる。図中では、密閉容器６をプラスチックで形成している。【０１０４】
また、容器本体７の上部側面には、密閉容器６内部で生成した光触媒反応水を取り出すための排水ホース接続部40を設けている。一方、容器本体７の下部側面には、外方へ伸延するように設けた給水管３を備えており、この給水管３の開口端部は、密閉容器６内部へ水を供給するための給水口２としている。なお、図１ではこの給水口２に給水ポンプ32を接続して、光触媒反応水生成装置１に水31を送り込むようにしている。なお、本実施例では、給水ポンプ32は（イーロカPF-380、流量6.2L/min）を使用した。【０１０５】
そして、給水管３の中途部には、酸素を含む気体を通気可能とした中空状の酸素供給管４を接続し、この接続部分を酸素供給部５としている。【０１０６】
ここでは、水に酸素を供給する手段として、酸素供給管４を給水管３に接続することにより、給水管内の水流で水中に酸素を効率良く拡散するようにしているが、光触媒反応水生成装置１に供給する水31に酸素を含ませることができれば特に限定されるものではなく、たとえば酸素供給管４を光触媒反応水生成装置１内に直接接続するようにしても良い。【０１０７】
また、酸素供給管４を通気する気体は、空気やオゾンであっても良く、好ましくはさらに酸素濃度が高い気体が良い。水中に供給する酸素濃度が高いほど、効率良く水中に酸素を含有させることができ、光触媒体での活性酸素種の発生量を増加させることができる。【０１０８】
さらに、水31の溶存酸素濃度を高める方法としては、例えば水と反応して発泡することにより、その気泡中に酸素を生じさせる発泡剤などを使用することができる。【０１０９】
容器本体７の下部側面には、活性酸素種を水中に拡散させる拡散手段として超音波発振器12を配設しており、この超音波発振器12は、密閉容器６内に設けた超音波振動子22（2.4MHz霧化用振動子）と接続している。なお、ここでは高周波超音波（一般に500kHz以上といわれている）を生じさせる超音波振動子を使用しているが、中周波超音波（100kHz〜500kHz）を使用するようにしても良い。【０１１０】
これらの超音波は、光触媒体20からの活性酸素種の遊離を促進すると共に、超音波と紫外線の波長の相互干渉作用により互いに反応を増強させている可能性が推測される。【０１１１】
また、本実施例１では、拡散手段として超音波を用いて、水31を介して光触媒体20を間接的に振動させ、活性酸素種を拡散するようにしているが、これに限定されるものではなく、たとえば、密閉容器６内で光触媒体20を直接的に動かしても良く、また、密閉容器６内の水31を撹拌して水流を生じさせるファン（撹拌翼）などを配設して、活性酸素種を拡散させるようにしても良い。【０１１２】
蓋体８には、密閉容器６の内部へ光を照射する光源として、蓋体８を貫通するように紫外線ランプ９（東芝ライテック社製EFD15BLB，ピーク波長352nm，紫外線出力1.8W）を挿入しており、この紫外線ランプ９に通電することで密閉容器６内部に備えた後述の光触媒体20へ紫外線を照射可能としている。また、この紫外線ランプ９の通電部は空気中にあるため、発光部を水に水没させても、漏電等の事故の恐れが無い。【０１１３】
この紫外線ランプ９は、ブラックライトなどが使用可能であるが、350〜370nmの波長の紫外線、さらに好ましくは364nmの波長の紫外線を効果的に放射する紫外線ランプ９であればよく、特にブラックライトに限定されるものではなく、紫外線を放射可能なLEDやキセノンランプなどとすることもできる。また光源を太陽光とした場合は、太陽光に含まれている、多量の紫外線を光触媒体へ照射することが可能となり、光ファイバーやプリズムを用いて光を水中に導き、光触媒体20へ照射することも可能である。また、光触媒体20がルチル型（可視光応答型）光触媒体であれば通常の可視光線光（室内照明灯）でも光触媒反応を惹起することが可能なため、光ファイバーやプリズムを用いて光を水中に導き、光触媒体20へ照射することも可能である。【０１１４】
次に、密閉容器６の蓋体８をはずし、容器本体７の上部開口から内部を見た状態を図３に示し、光触媒反応水生成装置１の断面を図４に示す。【０１１５】
容器本体７の内面側の底部には前述の超音波発振器12に接続した超音波振動子22が水に接触するように配設しており、この超音波振動子22の上部には筒状とした光触媒体20を配設している。この光触媒体20は、図４に示すように、蓋体８で容器本体７を閉塞した際に紫外線ランプ９の発光部41を囲繞するように配設している。それゆえ、紫外線ランプ９が放射した紫外線を、光触媒体20を励起するためのエネルギーとして効率良く利用することができる。【０１１６】
ところで、紫外線ランプ９から照射され、光触媒体20をすり抜けた紫外線は、容器本体７や蓋体８に当たることとなる。【０１１７】
ここで、この容器本体７と、蓋体８との外周面は紫外線等の光を反射可能とした反射材13で覆っている。【０１１８】
したがって、容器本体７や蓋体８に到達した紫外線は、反射材13によって容器本体７の内方（すなわち、光触媒体20の方向）へ反射され、光触媒体20を励起させることとなり、紫外線ランプ９より照射された紫外線を光触媒体20の活性化エネルギーとして無駄なく利用することができる。【０１１９】
この反射材13は光を反射できる素材、特に紫外線を反射できる素材が好ましく、たとえばアルミニウム箔を用いることができる。【０１２０】
また、本実施例では、反射材13は容器本体７と、蓋体８との外周面に貼設しているが、内周面に貼設するようにしても良く、密閉容器自体を反射材13と同様の機能を有する素材で構成しても良い。特に、密閉容器６がプラスチック製や樹脂製である場合は、密閉容器６の内壁に反射材13を設けることで、密閉容器６が受ける紫外線量を減らすことができ、紫外線によるプラスチックや樹脂の劣化や変性を防ぐことができる。【０１２１】
また、光触媒体20は、アルミナ金属繊維体の実質的全表面を、チタニア薄膜で被覆したものとしており、紫外線ランプ９から放射された紫外線を受けることで、チタニア薄膜が励起可能となるようにしている。【０１２２】
なお、本実施例１では、光触媒（チタニア）の担体を金属製繊維体としているが、これに限定されるものではなく、有機及び／又は無機材料で構成した多孔質体とすることができ、たとえば、ガラス製繊維体や、セラミックス製繊維体や、不織布の表面にチタニア薄膜を形成することにより光触媒体20としても良い。ここで、多孔質体とは、繊維体の集合であるウール状のものも含む概念である。【０１２３】
次に、給水口２から供給された水が活性酸素種を含んで排水口11から取り出されるまでの流れを以下に説明する。【０１２４】
すなわち、給水口２から供給された水31は、給水管３を流れて酸素供給部５に達する。酸素供給部５には、酸素供給管４が接続されており、酸素供給部５に達した水31と酸素供給管４によって送り込まれた酸素とが混合されることとなる。【０１２５】
このようにして水31と混合された酸素は、水31に溶け込んで水中の溶存酸素濃度を上昇させ、細かな気泡となり密閉容器６内に送り込まれる。密閉容器６内部に到達した気泡は、超音波振動によりさらに微小な気泡となり、水31中の溶存酸素濃度をさらに上昇させ、また残存した微小な気泡は光触媒体20に衝突し、弾けて高周波の超音波を発生させる。この超音波は、光触媒体20を直接・間接的に振動させ、活性酸素種の遊離を促進させる一助となる。【０１２６】
溶存酸素濃度が上昇した水31は密閉容器６内部に到達し、密閉容器６を満たしてゆくこととなる。【０１２７】
一方、通電した紫外線ランプ９からは、350〜370nmの波長の紫外線が放射されることとなり、放射された紫外線は紫外線ランプ９を囲繞している光触媒体20に当たる。【０１２８】
光触媒体20の表面には、光触媒能を有するチタニア薄膜を形成しているので、このチタニア薄膜に紫外線ランプ９から放射された紫外線が当たることでチタニア薄膜が励起して光触媒体20が活性化することとなる。【０１２９】
活性化した光触媒体20の表面では、紫外線ランプ９から放射された紫外線のエネルギー（ｈν）がチタニア薄膜を構成する酸化チタン（TiO2)を励起しているので、密閉容器６を満たしている水31が、励起した光触媒体20に接触することで、活性酸素種が生じることとなる。【０１３０】
また、密閉容器６中を満たしている水31には、酸素供給部５で酸素が混入されて溶存酸素濃度が高い状態となっているので、光触媒体20上に生じている電子(e-)と水31中に含まれる酸素との接触する効率を向上させることができる。【０１３１】
したがって、酸素を多く含んだ水31が活性化した光触媒体20に接触することで、盛んに光触媒反応が起こり、光触媒体20表面に活性酸素種がより多く発生することとなる。【０１３２】
また酸素の混入に際して発生した細かな気泡は、金属繊維体に衝突する事により気泡が破裂し、超音波を発生し、金属繊維体を振動させ、金属繊維体上に発生した活性酸素種が金属繊維体より放出しやすくする。【０１３３】
一方、通電した超音波発振器12は、密閉容器６の内部に配設した超音波振動子22を振動させて超音波を発生する。【０１３４】
ここで、この発生した超音波は、水31や光触媒体20を振動させることとなるが、特に、本発明に係る光触媒反応水生成装置１に備えた光触媒体20は、金属製繊維の表面に光触媒（たとえば、チタニア）をコーティングし、ウール状の集合体とした金属製繊維体としている。【０１３５】
したがって、各金属製繊維の１本１本が有する表面積を集合した広大な表面積を備える金属製繊維体の表面から活性酸素種が生じるのと同時に、この発生した活性酸素種は速やかに超音波の振動によって光触媒体20の表面から振るい落とされて大量に水31中に遊離する。【０１３６】
そして、光触媒体20の表面には即時に新たな活性酸素種が生じ、再び超音波の振動にあわせて振るい落とされ、また水31中に遊離することとなる。【０１３７】
これが瞬時の間に幾度となく繰り返されることとなるため、極めて効率良く水31中に活性酸素種を含ませることができる。【０１３８】
また光触媒体20は、たとえば板状の光触媒と比較して、超音波の細かい振動に合わせて振動を起こしやすく、光触媒体20の表面からより容易に活性酸素種を遊離させることができる。【０１３９】
さらに、光触媒体20に多量に存在する金属製繊維の末端部分は、超音波振動下で自由端として振る舞うので、光触媒体20から効率良く活性酸素種を振るい落とすことができる。【０１４０】
しかも、光触媒体20は、その担体として良好なチタニアコーティングが可能なアルミナ繊維としているので、アルミナ表面でチタニアが比較的強固に結びついており、耐久性が高いことから、超音波環境下の水中においても実用性を保ちながら長期間の使用に耐えることができる。このことは、特に、金属を腐食させやすい海水中で用いた場合などにおいて、顕著に実用性を示すこととなる。【０１４１】
このように、光触媒体20の特徴と、超音波との相乗効果により、光触媒体20表面に生じた活性酸素種が、水中に容易に遊離して、多量の活性酸素種が水に含まれ、光触媒反応水を生じることとなる。【０１４２】
そして、給水口２から連続的に供給される水31によって、密閉容器６内部の光触媒反応水は、密閉容器６上部側面に設けた排水口11から押し出されることとなるため、光触媒反応水を密閉容器６内部から取り出すことができる。【０１４３】
このようにして生成した光触媒反応水に含まれる活性酸素種は非常に高い反応性と持続性を有しており、その強力な酸化分解力により微生物や寄生虫などに対して致命的な影響を速やかに与えることが可能となる。
【実施例２】
【０１４４】
次に、実施例１で説明した光触媒反応水生成装置１を除菌用光触媒反応水生成装置として使用した場合について説明する。【０１４５】
すなわち、図５に示すように、水槽33内の水31に浸漬した給水ポンプ32と、光触媒反応水生成装置１との間には、殺菌灯24を備えた殺菌器23を設けており、殺菌灯24から放射された紫外線を殺菌器23の内部で循環する水31に照射可能としている。【０１４６】
この殺菌器23に備えた殺菌灯24は、245〜265nm、さらに好ましくは256nmの波長の紫外線を放射可能としており、水中の微生物のDNAに変異障害によるダメージを与えて微生物を殺菌することができる。【０１４７】
また、光触媒反応水生成装置１の壁面に施した鏡面や、遮光した配管は、この光回復を防止するという効果も有している。光回復を防止することで、245〜265nmの波長の紫外線による微生物へのダメージを効率的に与えることができ、殺菌効果を向上することができる。【０１４８】
この光触媒反応水生成装置１では、活性酸素種等が水中に拡散することとなるので、殺菌器23で殺菌されずに細胞膜の損傷を受け衰弱して光触媒反応水生成装置１に到達した微生物を、活性酸素種でさらに致命的なダメージを与えて殺菌することとなる。【０１４９】
なお、殺菌器23は、光触媒反応水生成装置１に連結管26を介して配設しているが、これに限定されるものではなく、除菌用光触媒反応水生成装置１内に配設した光触媒体20を励起するための光源（たとえば、350〜370nmの波長の紫外線を発生する紫外線ランプ９）と共に、245〜265nmの波長の紫外線を発生する殺菌灯24を光触媒反応水生成装置１内部に設置するようにして、光触媒反応水生成装置１と殺菌器23とを一体的に構成しても良く、また、光触媒体20を励起可能な光と、殺菌可能な光とを同時に放射する光源を光触媒反応水生成装置１内に設置するようにしても良い。
【実施例３】
【０１５０】
次に、本発明に係る光触媒反応水生成装置１を用いて、実際に微生物の殺菌を行った例を示す。【０１５１】
本実施例では、光触媒反応水生成装置１の構成や作動時間を違えて５種の試験を行い、それぞれの結果について考察を行った。各試験の内容は次の通りである。【０１５２】
〔試験１〕光触媒反応水の除菌・殺菌能力についての検証（酸素供給及び超音波照射なし）
〔試験２〕光触媒体20に照射する紫外線の波長を違えた場合の除菌・殺菌効果の検証（酸素供給及び超音波照射なし）
〔試験３〕酸素供給と超音波照射とを併用した場合における除菌・殺菌効果の検証
〔試験４〕光触媒反応水の除菌・殺菌能力の持続時間についての検証
〔試験５〕殺菌器を併用した場合における除菌・殺菌効果の検証
上記試験１〜５の試験について、以下に詳細を述べる。【０１５３】
〔試験１〕光触媒反応水の除菌・殺菌能力についての検証
図１に示すように構成した光触媒反応水生成装置１（但し、酸素供給と超音波照射は行わない。）の水槽33内に、Staphylococcus aureus（黄色ブドウ球菌）、Enterococcus faecalis（腸球菌）、Bacillus cereus、Escherichia coli（大腸菌）、Klebsiella pneumoniae（肺炎球菌）の５菌種の生菌を懸濁し、菌の濃度が約106cfu/mlとなるように調製した。【０１５４】
このように構成した系において、水中ポンプ32とブラックライト９（東芝ライテック株式会社製EFD15BLB）に通電し、水中に送り込みながら３時間に亘り水を循環させて、生菌数の経時変化を調査した。なお、本試験中において使用した水は注射用蒸留水４Lを用い、光触媒反応水生成装置および回路および水中ポンプは事前に殺菌し、蒸留水で循環洗浄させたものを用いた。実験中の水温の変化はなく、２８℃で一定に保ちながら水を循環させた。図６に５菌種の寒天培地上での形態を示す。【０１５５】
生菌数の調査は、血液寒天培地（トリプチケースソイアガー）上に経時的に採取した検体を散布し、その成長を観察した。また、グラム陽性菌を見やすくするためCNA（Colistin-Nalidixic Acid：グラム陰性桿菌を抑制する薬物）を配合した血液寒天培地（コロンビアアガー）を用いた。このようにして血液寒天培地上に形成したコロニーの経時変化を図７に示す。【０１５６】
図７の結果から、光触媒反応水は、水中に懸濁した５種の菌すべてに対して、顕著な除菌・制菌効果を有することが示された。細菌投入後30分にかけて増殖した細菌は、その後時間を追うごとにその数が減少した。ことにEnterococcus faecalis（腸球菌）は３時間の時点で、ほぼ消失した。【０１５７】
本試験１の結果より、光触媒反応水生成装置１に除菌・殺菌効果があることが確認された。しかしこの時点では、光触媒により惹起された活性酸素種が、光触媒体表面にて作用しているに過ぎず、水槽内の水を循環させることにより、光触媒体との接触機会を頻回に持たせることができ、殺菌効果が出現したものとも考えられた。そのため、この時点では光触媒反応水生成装置１で生成した光触媒反応水に除菌・殺菌効果があるとは言及できないと判断した。【０１５８】
〔試験２〕光触媒体20に照射する紫外線の波長を違えた場合の除菌・殺菌効果の検証
次に、試験１と同様の試験系において、光触媒体20に照射する紫外線の波長を違えた場合について検証を行った。【０１５９】
すなわち、試験１で使用した光触媒反応水生成装置１に配設した紫外線照射ランプ９を、チタニア繊維体の有効紫外線をほとんど照射しない青色光線を照射するブラックランプに置き換えて、細菌数の変化を観察した。温度変化はなく水温は２８℃で一定温度で循環させた。【０１６０】
その結果、試験開始直後より細菌数は比較的緩やかな増加の一途をたどり、45分後には全ての菌種が108cfu/mlを超え、観測不能の状態となった。通常、細菌の増殖速度は20分で2倍に増殖するとされる。この試験２の結果において制菌効果も認められず、このことより光触媒反応水生成装置１内の光触媒体には除菌・殺菌作用は認められないことが確認できた。【０１６１】
上記、本試験１および２の結果より、光触媒反応水生成装置１は光触媒反応による除菌・殺菌効果を惹起していることが示され、光触媒体による除菌殺菌効果ではないことが確認できた。【０１６２】
しかしながら、その反応力は水中の生菌数を完全に除菌するためには、不十分であり、何らかの補助手段が必要と考えられた。【０１６３】
〔試験３〕酸素供給と超音波照射とを併用した場合における除菌・殺菌効果の検証
次に、図１に示すように構成した除菌用光触媒反応水生成装置１の水槽33内に、Staphylococcus aureus（黄色ブドウ球菌）、Enterococcus faecalis（腸球菌）、Bacillus cereus、Escherichia coli（大腸菌）、Pseudomonas aeruginosa（緑膿菌）の５菌種の生菌を懸濁し、菌の濃度が約106cfu/mlとなるように調製した。【０１６４】
このように構成した系において、水中ポンプ32とブラックライト９（東芝ライテック株式会社製EFD15BLB）と超音波発振器12（2.4MHz霧化用振動子）とに通電し、酸素供給部５より純酸素を250ml／分で水中に送り込みながら24時間に亘り水を循環させて、生菌数の経時変化を調査した。また、本試験３は、試験１と同様のプロトコールで行うこととし、細菌数の変化は、定時ごとに採取した水槽33内の水をスパイラルプレーターにて段階希釈してその生菌数の計測を行った。また実験１同様、温度変化はなく水温は２８℃で一定温度で循環させた。【０１６５】
本試験３の結果を表１に示す。【０１６６】
【表１】
2007043592.tif 000003
表１からもわかるように、水中に懸濁した４種の菌に顕著な除菌・殺菌効果が見られた。特に抗生物質耐性を獲得することで院内感染などの原因となりうるStaphylococcus aureusや食中毒の原因となるBacillus cereusは試験開始後約１時間で死滅していることから、これらの細菌に対して効果が高いことが示された。しかも、Bacillus cereusは芽胞性細菌であることから、一般に死滅させにくいとされているにもかかわらず、芽胞にも有効に殺菌効果が現れることが示唆された。【０１６７】
併せて、病原性大腸菌O-157等が属するEscherichia coliについても、速やかに死滅し、再度増殖を開始することはなかった。【０１６８】
一方、Pseudomonas aeruginosa（緑膿菌）は、いったんは菌数の減少が認められたが、その後次第に菌数が増加する現象が見られた。また、試験系に混入した夾膜を有する細胞膜の厚いグラム陰性菌についても、菌数が次第に増加する傾向が見られた。【０１６９】
このように、酸素投与と超音波振動の相乗効果により光触媒反応水は、Staphylococcus
aureus（黄色ブドウ球菌）、Enterococcus faecalis（腸球菌）、Bacillus cereus、Escherichia coli（大腸菌）、に対して強力な殺菌力を付与されることが実証され、しかも、Pseudomonas aeruginosa（緑膿菌）やグラム陰性菌に対しては、その細菌増殖を抑える制菌力を持つことが示された。【０１７０】
〔試験４〕光触媒反応水の殺菌能力の持続時間についての検証
つぎに、光触媒反応水の除菌効果がどの程度持続するのかを検証すべく、光触媒反応水生成装置１を1時間作動した後、光触媒反応水生成装置１を停止して水槽33へ菌体を懸濁し、その菌数の経時変化を追うことで、反応継続時間の推測を行った。【０１７１】
本試験４でも、試験３と同様に光触媒反応水生成装置１を水槽33に配設し、Staphylococcus aureus（黄色ブドウ球菌）、Enterococcus faecalis（腸球菌）、Escherichia coli（大腸菌）、Pseudomonas aeruginosa(緑膿菌)の４菌種の生菌の濃度が約106cfu/mlとなるように調製した。本試験４の結果を表２に示す。【０１７２】
【表２】
2007043592.tif 000004
表２からもわかるように、光触媒反応水の作用は菌種によって異なるが、1時間程度継続する可能性が示唆された。【０１７３】
この実験では、細菌が循環している時間は光触媒反応は惹起されておらず、光触媒反応水生成装置１にて1時間作動することにより生成された光触媒反応水による殺菌作用であり、このことより光触媒反応水のもつ強力な殺菌能が証明され、またその作用時間も１時間程度継続する可能性が示唆された。【０１７４】
〔試験５〕殺菌器23を併用した場合における除菌・殺菌効果の検証
次に、酸素供給及び超音波照射を行っている光触媒反応水生成装置１において、さらにブラックライトや、紫外線を照射した場合での微生物の挙動について試験を行った。【０１７５】
本試験５で使用した細菌は、試験４と同様にStaphylococcus aureus（黄色ブドウ球菌）、Enterococcus faecalis（腸球菌）、Escherichia coli（大腸菌）、Pseudomonas aeruginosa(緑膿菌)の４菌種の生菌を水槽33に懸濁した。試験開始から１時間は、水中ポンプ32を稼働させながら、酸素の供給と超音波照射をおこなった。この時点では光触媒反応は惹起されておらず、回路内に投与された細菌は、保存による細菌のダメージより回復し、増殖することが可能となる。次いで、１時間経過後、前述の状態を維持しながらブラックライトを点灯して光触媒体20に光触媒反応を励起させるようにし、３時間光触媒反応による除菌・殺菌作用の反応を観察した。そして、試験開始後180分以降は、さらに殺菌器23の殺菌灯24を点灯し、その追加効果を確認した。表３に本試験５における各菌の生菌数の経時変化を調査した結果を示す。【０１７６】
【表３】
2007043592.tif 000005
ここで表３中の矢印は、各機器の稼働を示している。表３に示す結果より、酸素投与および超音波作動による細菌の増殖抑制は認められなかった。水温28℃で酸素の豊富な状況下で循環する事により、試験に用いた細菌はすべて増殖・活性化した。ブラックライト照射開始後もその増殖は直ちには抑制できずに、いったんはその数を増すものの、緑膿菌を除き、光触媒水に含まれる活性酸素種による酸化作用による細胞障害を受け、殺菌されることが再現性を持って示された。しかも、緑膿菌に対しては、光触媒反応のみにてもその増殖抑制が可能であり、殺菌灯併用開始直後より、その菌数は減少し、除菌・殺菌しえた。【０１７７】
すなわち、試験３で効果の少なかった緑膿菌に関しては、殺菌灯を併用することにより制菌効果ではなく、除菌や殺菌することが可能となり、しかも、グラム陰性菌等の試験細菌以外の細菌が混入・増殖することなく、新たな細菌の増殖の場とならなかった事より、光触媒水と殺菌灯の間には相乗効果があるものと判断された。
【実施例４】
【０１７８】
次に、本発明に係る光触媒反応水生成装置を、駆虫用光触媒反応水生成装置として利用した例について説明する。本発明に係る光触媒反応水生成装置は、魚等に寄生する寄生虫に対して優れた駆虫能力を発揮するものである。以下、駆虫用光触媒反応水生成装置の構成例及び同駆虫用光触媒反応水生成装置による駆虫効果について検証した結果を示す。
〔駆虫用光触媒反応水生成装置の構成例〕
駆虫用光触媒反応水生成装置及び駆虫方法について、図８〜14を用いて使用状態を示しながら説明する。【０１７９】
図８は水槽133に駆虫用光触媒反応水生成装置101を配設し、水槽133中の海水142を駆虫用光触媒反応水生成装置101に循環させて、海水142中に活性酸素種を含ませるように構成した状態を示している。【０１８０】
ここでは、給水口102の先端部分に給水ポンプ132を設置しており、この給水ポンプ132を稼働させることにより、給水管103を通じて、酸素を溶存させた海水を駆虫用光触媒反応水生成装置101に供給することができる。【０１８１】
そして、駆虫用光触媒反応水生成装置101に供給された海水には、紫外線ランプ109から照射された紫外線により光触媒体120が励起し、併せて、超音波振動子122から超音波が発せられるため、光触媒体120から活性酸素種が多量に遊離して、海水に活性酸素種が効率良く溶存することとなる。【０１８２】
この多量の活性酸素種が含まれる海水は、排水管110を通り、排水口111より排出されて、再び水槽133に流入する。【０１８３】
水槽133には、あらかじめ魚145を収納しているので、駆虫用光触媒反応水生成装置101から排出された活性酸素を含む水は、魚145に付着している微生物や寄生虫などに影響を及ぼし、魚145から寄生虫を駆虫することができる。なお、ここで魚145は、成魚のみならず、稚魚や幼魚をも含む概念を示すものである。【０１８４】
なお、図８では、１つの水槽133に１台の駆虫用光触媒反応水生成装置101を配設しているが、図９に示すように、駆虫する魚145の数や、水槽133に収納した海水の量や、所望する海水中の活性酸素濃度に合わせて、駆虫用光触媒反応水生成装置101を配設する台数を増やすようにしても良い。【０１８５】
また、図９では、水槽133に駆虫用光触媒反応水生成装置101を並列して配設しているが、図10に示すように、駆虫用光触媒反応水生成装置101を連結管126等を用いて直列に接続して配設するようにしても良い。この場合、２台の駆虫用光触媒反応水生成装置101を経て排水口111から排出される水には、１台の駆虫用光触媒反応水生成装置101から排出される水と比較して活性酸素がより大量に含まれることとなるため、高濃度の活性酸素を含有する水を所望する場合には、好適に用いることができる。
〔駆虫用光触媒反応水生成装置の使用状態例２〕
次に、光触媒反応を用いた駆虫用光触媒反応水生成装置に殺菌器を備えた場合について、使用状態を示しながら説明する。【０１８６】
すなわち、図11に示すように、水槽133内の水131に浸漬した給水ポンプ132と、駆虫用光触媒反応水生成装置101との間には、殺菌灯124を備えた殺菌器123を設けており、殺菌灯124から放射された紫外線を殺菌器123の内部で循環する水131に照射可能としている。【０１８７】
この殺菌器123に備えた殺菌灯124は、245〜265nm、さらに好ましくは256nmの波長の紫外線を放射可能としており、除菌用光触媒反応水生成装置の説明でも述べたように、水中の微生物のDNAに変異障害によるダメージを与えて微生物を殺菌することができる。【０１８８】
また、殺菌器と、殺菌器を経た水を駆虫用光触媒反応水生成装置101に供給するための配管は、外部の可視光を遮断するようにしている。【０１８９】
この駆虫用光触媒反応水生成装置101の壁面に施した鏡面は、この光回復を防止するという効果も有している。光回復を防止することで、245〜265nmの波長の紫外線による微生物へのダメージを効率的に与えることができ、殺菌効果を向上することができる。【０１９０】
そして、殺菌した菌体や弱った微生物は、駆虫用光触媒反応水生成装置101に供給されて、光触媒体で発生する活性酸素種などと接触することで、菌体を酸化分解したり、弱った微生物に致命的なダメージを与えて確実に水中の微生物を殺菌することができる。【０１９１】
このような機序により殺菌器123で処理された水131は、殺菌器123と駆虫用光触媒反応水生成装置101とを連結する連結管126を通って駆虫用光触媒反応水生成装置101に供給されることとなる。【０１９２】
この駆虫用光触媒反応水生成装置101では、活性酸素種等が水中に拡散することとなるので、殺菌器123で殺菌されずに衰弱して駆虫用光触媒反応水生成装置101に到達した微生物を、活性酸素種でさらに致命的なダメージを与えて殺菌することとなる。
〔駆虫用光触媒反応水生成装置の使用状態例３〕
次に、駆虫用光触媒反応水生成装置101と殺菌器123とを経て生成した活性酸素種を含む水を魚に接触させることで、魚に付着している寄生虫や微生物を除去した例を図12に示す。【０１９３】
水槽133に10リットルの海水142を収納し、この水槽133の上部に殺菌器123を備えた駆虫用光触媒反応水生成装置101を配設した。【０１９４】
駆虫用光触媒反応水生成装置101を１時間に亘って事前に稼働させて、海水温度28℃、溶存酸素濃度（DO）を6.8mg/Lに調整した。この海水温度と溶存酸素濃度は、その後も一定に保つようにしながら試験を行った。循環する光触媒反応水の過酸化水素水濃度は常に３ppm以下であった。【０１９５】
そして、表４に示すように、試験の対象となる魚145を泳がせた。【０１９６】
【表４】
2007043592.tif 000006
表４に示すように、水槽にはカンパチ４匹とトラフグ４匹を収納した。また、これらの魚145のエラを事前に調査した結果、魚１匹あたりの平均エラムシ数は、カンパチ20匹とトラフグ30匹であった。【０１９７】
そして、両水槽の駆虫用光触媒反応水生成装置101を２時間に亘り稼働・循環させ後に、同装置を停止し、カンパチ２匹とトラフグ２匹を取り出し、魚145のエラムシの状態を観察した。残るカンパチ２匹とトラフグ２匹は海の生け簀内へ戻し、20時間後に魚145のエラムシの状態を確認した。その結果を表５に示す。【０１９８】
【表５】
2007043592.tif 000007
表５に示すように、２時間に亘って駆虫用光触媒反応水生成装置101を稼働させた、カンパチ２匹とトラフグ２匹の魚145に付着していたエラムシの数は、終了直後は平均でカンパチ17匹とトラフグ15匹であり、寄生したエラムシの数は約半数になり、しかも寄生したエラムシの活動性は低下していた。【０１９９】
動作後20時間経過した、残りのカンパチ２匹とトラフグ２匹の魚45に付着していたエラムシの数は、平均でカンパチ０匹とトラフグ２．５匹と著明に減少していた。【０２００】
これらの結果から、駆虫用光触媒反応水生成装置101で生成した活性酸素種を含む水は、過酸化水素水ではなく、まず、その海水を浄化し、ついでその浄化された水が、魚145に寄生したエラムシに対して極めて効果的に働いて、エラムシを駆虫したものと考えられた。
〔駆虫用光触媒反応水生成装置の使用状態例４〕
次に、駆虫用光触媒反応水生成装置101と殺菌器123とを経て生成した活性酸素種を含む水を魚に接触させることで、魚に付着している寄生虫や微生物を除去した例を、図12を用いて説明する。【０２０１】
水槽133に30リットルの海水142を収納し、この水槽133の上部に殺菌器123を備えた駆虫用光触媒反応水生成装置101を配設した。【０２０２】
このような駆虫用光触媒反応水生成装置101を備える水槽133を２台用意して、それぞれの駆虫用光触媒反応水生成装置101を１時間に亘って稼働させて、海水温度28℃、溶存酸素濃度（DO）を6.8mg/Lに調整した。この海水温度と溶存酸素濃度は、一定に保つようにしながら試験を行った。また、実施例５と同様に、循環する光触媒反応水の過酸化水素水濃度は常に３ppm以下であった。【０２０３】
そして、表６に示すように、試験の対象となる魚145を泳がせた。なお、ここでは２台ある水槽133のうち、一方の水槽133を水槽Ａとし、他方の水槽133を水槽Ｂとして説明する。【０２０４】
【表６】
2007043592.tif 000008
表６に示すように、水槽Ａにはカンパチ６匹とトラフグ１匹を収納し、水槽Ｂには、カンパチ５匹を収納した。また、これらの魚145のエラを事前に調査した結果、魚１匹あたりの平均エラムシ数は、両水槽とも20匹であった。【０２０５】
そして、両水槽の駆虫用光触媒反応水生成装置101を稼働させて試験を開始した。ここで、水槽Ａは４時間、水槽Ｂは６時間に亘り駆虫用光触媒反応水生成装置101を稼働させた後に、同装置を停止し、20時間後の魚145のエラムシの状態を確認した。その結果を表７に示す。【０２０６】
【表７】
2007043592.tif 000009
表７に示すように、４時間に亘って駆虫用光触媒反応水生成装置101を稼働させ、20時間経過した水槽Ａ内の魚145に付着していたエラムシの数は、平均で３匹であった。【０２０７】
また、６時間に亘って駆虫用光触媒反応水生成装置101を稼働させ、20時間経過した水槽Ｂ内の魚145に付着していたエラムシの数は、平均で１匹であった。【０２０８】
これらの結果から、駆虫用光触媒反応水生成装置101で生成した活性酸素種を含む水は、魚145に寄生したエラムシに対して極めて効果的に働いて、エラムシを駆虫することが可能であることを示唆している。【０２０９】
さらに、本結果において特に注目すべき点は、エラムシの寄生により衰弱した魚145であるにも関わらず、死魚が１匹も出ていない点である。このことは、駆虫用光触媒反応水生成装置101で生成した活性酸素種を含む水が、エラムシに対しては強力に駆虫効果を示しながらも、魚145に対しては、非常に穏やかに作用し、殆ど悪影響を及ぼさないことを示唆しているものと考えられた。【０２１０】
しかも、寄生虫に対する活性酸素種を含む水の駆虫効果は活性酸素種等によるものなので、寄生虫や微生物が耐性を獲得するおそれがなく、長期に亘って使用することができる。【０２１１】
また、寄生虫や微生物の駆除に使用した活性酸素種を含む水は、自然界に放流しても速やかに水や酸素などの物質に変化するため、環境に悪影響を与えるおそれがない。【０２１２】
併せて、魚体や寄生虫、微生物などに付着した活性酸素種を含む水は、速やかに水や酸素などの物質に変化するため、魚に残留する薬剤の問題がなく、消費者イメージを低下させるおそれがない。【０２１３】
このように、魚145が生息している水中に活性酸素種を含む水を接触させて処理を行っても良いが、あらかじめ貯留した活性酸素種を含む水に、魚145を所定時間浸漬するようにしても同様の効果を得ることができる。【０２１４】
また、強力な活性化酸素の侵襲を干渉するために、回路内へ徐放型炭酸カルシウムや焼成した新世紀隆起珊瑚等を入れることもできる。【０２１５】
併せて、水中に浮遊する夾雑物や、魚体から脱落したエラムシなどの寄生虫が、光触媒体120に付着して、活性酸素の発生効率が低下するのを防ぐために、給水ポンプ132から駆虫用光触媒反応水生成装置101へ供給される水の流路中にフィルターを設けるようにしても良い。【０２１６】
本実施例では、魚145が養殖魚である場合について述べてきたが、この魚145が観賞魚である場合においても、応用できることはいうまでもない。特に、一般家庭などで飼育している観賞魚などに駆虫用光触媒反応水生成装置101を応用する場合には、定期的に水槽133内に活性酸素種を含む水を供給したり、過剰な活性酸素種を含む水の供給を防止したりするために、紫外線ランプ109の通電を制御するタイマーやリミッターを備えるようにしても良い。このような構成とすることで、常時観賞魚の健康状態を良好に保つことができる。【０２１７】
しかも、紫外線ランプ109への通電を遮断している場合には、酸素を豊富に含んだ水が排水口111から水槽133内に供給されることとなるため、魚145の生育環境を良好に保つことができる。
〔駆虫用光触媒反応水生成装置の使用状態例４〕
ここまで説明してきたように、駆虫用光触媒反応水生成装置は、水槽等に配設することで、水槽中に収納された魚に寄生している寄生虫を駆虫することができるが、本実施例６では、水槽全体を駆虫用光触媒反応水生成装置とした例について示す。【０２１８】
すなわち、図13に示す駆虫用光触媒反応水生成装置101では、寄生虫が寄生している魚145と海水142とを収納した水槽133の底部に、図示しない超音波発振器に接続した超音波振動子122と、水中ファン151と、酸素供給部105とを配設している。【０２１９】
また、水面155には、シート状に形成した光触媒体120を配設し、その上面には太陽154から放射される太陽光153があたるようにして、光触媒体120を励起可能としている。【０２２０】
なお、この光触媒体120は、担体を水に浮く素材としたり、また、光触媒体に浮きを付設することで水面155に浮遊させることができる。【０２２１】
そして、海水142中であって水槽133の所定の位置には、反射体152を配設することにより、太陽光153を海水142中に誘導し、光触媒体120の裏面から太陽光を照射可能としている。【０２２２】
この反射体152は、光を海水142中に誘導して光触媒体120の裏面から照射することができるものであれば特に限定されるものではなく、たとえば、光ファイバーやプリズムとすることができる。【０２２３】
このような構成とすることで、駆虫用光触媒反応水生成装置101は、太陽光153を反射体152で誘導することにより、光触媒体120の裏面に光を照射して、光触媒体120を励起させることとなる。【０２２４】
励起した光触媒体120は活性酸素種を生じることとなり、この活性酸素種は、水槽133の底部に設けた超音波振動子122から発せられる超音波や、水中ファン151により海水142中に拡散することなる。【０２２５】
拡散した活性酸素種は、海水142を媒体として、魚145に付着している寄生虫に作用して駆虫効果を示すことができる。【０２２６】
ところで、駆虫用光触媒反応水生成装置101をこのような構成で使用し続けていると、光触媒体120の裏面（反射体152により光が照射される面）に生物や汚れが付着する場合が考えられる。特に、海水142中には、海草の胞子や貝類の幼生が浮遊しているので、これらが光触媒体120に着床し成育すると、光触媒体120が受光可能な面積が減少してしまい、光触媒体120による活性酸素種の生成が妨げられる。【０２２７】
そこで、図13に示すシート状の光触媒体120では、表裏反転することで、海草や貝類が付着していない面を水中に浸漬して、効率良く活性酸素種を生成することができる。【０２２８】
しかも、海草や貝類が付着している面は、太陽光線にさらされながら乾燥されて海草や貝類が死滅し、さらに、光触媒の代表的な効果のひとつである防汚効果によってこれらの付着物が脱落することとなる。【０２２９】
このようにして付着物が脱落した面は、光触媒体120を表裏反転することで、再び海水142中に浸漬して効率良く活性酸素種を生じさせることができる。【０２３０】
また、この表裏反転操作をさらに容易にした例を図14に示す。【０２３１】
図14は、図13に示した駆虫用光触媒反応水生成装置101とほぼ同じであるが、光触媒体120の構成が異なっている。【０２３２】
すなわち、図14に示す駆虫用光触媒反応水生成装置101では、水槽133の底面に立設した２本の支柱163、163の上に、平行杆165を架設して支持部166を形成し、この支持部166を２脚配設している。そして、所定間隔を隔てて互いに平行に架設した平行杆165の一端に駆動ローラー161を介設し、他端に従動ローラー162を介設するとともに、無端状としてループ状とした光触媒シート体167を駆動ローラー161と従動ローラー162とに掛け回して、この光触媒シート体167を回転自在としている。【０２３３】
また、平行杆165は、海水142の水面155に配設して、光触媒シート体167の約半分が海水142に浸漬するようにし、残りの約半分が水面155上に露出するようにしている。【０２３４】
したがって、駆動ローラー161を稼働させることにより、光触媒シート体167は自在に回転することとなるので、海草や貝類が付着した面を容易に水面上に露出させることができ、また、水面155上で付着物を脱落させた面を水面155下に引き込んで、海水142に浸漬させることができる。【０２３５】
これにより、光触媒シート体167からは効率良く活性酸素種が生じることとなり、魚154に付着している寄生虫を駆虫することができる。【０２３６】
なお、図13及び図14では、水槽133を用いて駆虫用光触媒反応水生成装置101を構成しているが、これに限定されるものではなく、たとえば、水槽133に代えて海水中に張設した漁網で形成した生け簀とすることにより、魚の養殖を行いながら、大量の魚を駆虫することができる。【０２３７】
この場合、生け簀を形成する漁網もまた、光触媒の機能を付与して光触媒体120とすることができる。【０２３８】
特に、魚の寄生虫は、多くの場合において、生け簀の漁網により媒介されて他の魚に感作することとなるので、漁網に光触媒能を付与して光触媒体120とし、光を照射することにより、寄生虫の感作経路を容易に断ち切ることができる。【０２３９】
また、図13及び図14では、光触媒体120や光触媒シート体167を励起させる光は、太陽154から放射された光としているが、先述の実施例に示したように、光触媒体120や光触媒シート体167を励起させる光の光源を、例えばブラックライトの如く、少なくとも350〜370nmの波長を含む紫外線を放射可能な光源としても良いことはいうまでもない。【０２４０】
上述してきたように、本発明に係る光触媒反応水生成装置によれば、別途薬剤等を用いることなく、しかも、環境に負荷を与えずに、省電力でコンパクトでありながら効率良く魚体の寄生虫を駆虫することができる。
【実施例５】
【０２４１】
本発明に係る光触媒反応水生成装置は、実施例３で示唆されたように、微生物に対して優れた除菌・殺菌能力を発揮することとなる。しかも実施例４の駆虫用光触媒反応水生成装置に示された如く、光触媒反応水の効用は反応局所ばかりでなく、時間・空間ともに移動させた離れた場所でもその効果が発現する事が確認されている。このような優れた除菌・殺菌・駆虫能力を生活用品等に応用した、光触媒反応水生成装置の応用例を以下に示す。【０２４２】
（i）循環水における殺菌装置に使用した例
まず、温水を循環させる浴槽や、冷却機器の室外機の循環水の微生物の処理を行った例を示す。この光触媒反応水生成装置１を循環水処理回路中に配設することで、近年問題となっているレジオネラ菌の殺菌も行うことができる。【０２４３】
すなわち、レジオネラ菌は、水中や湿った土壌中など環境中に存在し、至適温度が15〜43℃のグラム陰性桿菌であり、温水を循環させる浴槽や、エアコンディショナー、冷凍庫・冷蔵庫等の冷却機器に付設する室外機などの水中に生息する原虫類(アメーバ)の細胞内で大量に増殖する。【０２４４】
しかもレジオネラ菌は、原虫類(アメーバ)の細胞内で大量に増殖し、原虫類から放出された放出された菌体を大量に含んだ水蒸気を直接吸入する事によりヒトに感染することが知られている。すなわち、レジオネラ菌の殺菌の対策としては、レジオネラ菌自体の殺菌のみならず、原虫類の細胞膜を破壊し、その中で増殖せんとしているレジオネラ菌を殺菌する双方を実現するプロセスが重要となる。単にレジオネラ菌の殺菌力のみでは不足するのである。【０２４５】
この際、通常の殺菌だけでなく、細菌の寄生した原虫類の駆除が必要となり、より強力な酸化力が必要となる。【０２４６】
しかしながら、本実施形態で示す光触媒反応水生成装置１で生成した光触媒反応水によれば、実施例４で示したように、魚に寄生した寄生虫の駆虫も可能であり、寄生虫よりも弱い原虫類は駆除可能である。【０２４７】
すなわち原虫類を殺虫し、更に、原虫類の中に生息するレジオネラ菌も殺菌することができるため、レジオネラ菌による感染症を防止することができる。【０２４８】
この際、より幅広い殺菌効果と強い殺菌力を保持させるために、殺菌灯は併用する事が推奨される。【０２４９】
（ii）船舶のバラスト水を処理した例
次に、船舶の重心や浮力を調整するバラスト水に含まれる有害有機物質や微生物の処理を行った例を示す。たとえば、本発明に係る光触媒反応水生成装置を船舶のバラストタンク内に配設したり、バラスト水の排水口に配設することで、別途薬剤等を添加することなく、安全で効果的バラスト水を処理することができる。【０２５０】
船舶は、海水をバラストタンク内に取り込んで重心や浮力の調整を行うが、多くの場合、バラストタンクに取り込まれた水（バラスト水）は、取り込んだ場所とは別の海洋上で排出することとなる。【０２５１】
たとえば、外洋を航行する大型船舶では、積み荷が少ない状態では、バラストタンクにバラスト水を取り込んで船体を重くして船体の安定性を確保し、外国などの目的地に到着して積み荷を積載する際に、バラスト水を排水して船体を軽くし、船体の重量を調整している。【０２５２】
しかしながら、海水中には、多くの微生物や有機物が存在しており、これらがバラスト水として、他の遠隔地で排水されることにより、排水場所の生態系や環境を破壊するおそれが懸念されている。【０２５３】
特に、このようにして運ばれてきた海洋生物などは、排水場所の食物連鎖を破壊して異常増殖することなどもあり、養殖業などに多大なダメージを与える場合も考えられる。【０２５４】
そこで、船舶のバラストタンクに、本発明に係る光触媒反応水生成装置１を配設し、光触媒反応水生成装置１にバラスト水を循環させることにより、バラスト水に含まれる微生物などを殺滅でき、しかも、バラスト水に含まれる有害な有機物質を分解することができる。【０２５５】
しかも、光触媒反応水生成装置１にバラスト水を循環させて光触媒反応水とした場合には、貝類や海草類などがバラストタンク内に付着することを防止できる。【０２５６】
また、本例では、バラスト水の処理手段として、船舶のバラストタンクや排水口に設置する例を示しているが、特にこれに限定されるものではなく、船舶が停泊する港などに設置して、バラスト水をポンプなどにより回収し、光触媒反応水生成装置１で処理した後に海洋へ排水するようにしても良い。【０２５７】
このように、光触媒反応水生成装置１でバラスト水を処理することにより、生態系の破壊や有害有機物質による環境汚染を防止することができ、しかも、薬剤などによるバラスト水の処理に比して、環境への悪影響を抑えながら、処理後のバラスト水を海洋へ排水することができる。【０２５８】
（iii）入れ歯の洗浄例
次に、口腔内に装着する入れ歯34を光触媒反応水で除菌した例について図15を用いて説明する。所定の容量を有する水槽33に、本発明に係る光触媒反応水生成装置１を配設し、水槽33内に入れ歯34を浸漬することで、別途薬剤等を添加することなく、優れた洗浄効果及び除菌・殺菌効果を得ることができる。【０２５９】
すなわち、口腔内に装着する入れ歯34は、食べ物の滓やたばこのヤニ等が沈着し易く頻繁に洗浄する必要がある。しかしながら、沈着した汚れは落ちにくく、ブラシなどで力を入れて長時間磨くなどして多大な労力を費やしていた。【０２６０】
また、入れ歯34は口腔内に装着するため、人体に有害な洗浄剤や殺菌剤を使用することができず、専ら市販の殺菌洗浄剤を用いて処理を行っていたが、沈着した汚れを落とすには効率的な手段とは言い難いものであった。【０２６１】
そこで、本発明に係る光触媒反応水生成装置１を、たとえば図15に示すようにして、入れ歯洗浄装置35を一体的に構成し、水槽33の水31中に浸漬して光触媒反応水生成装置１を稼働させることにより、入れ歯34を効果的に洗浄することができる。なお、図15では、水中の溶存酸素濃度を高める手段として、酸素発生剤63を水中に浸漬しており、この酸素発生剤63が水に触れて気泡を発生させることにより、この気泡中に含まれる酸素が水に溶け込むようにしている。【０２６２】
そして、所定の容量を有する水槽33を２分割し、1方の水槽に本発明に係る用光触媒反応水生成装置１を配設、他方の水槽33内（洗浄槽）に入れ歯を浸漬することで、別途薬剤等を添加することなく、優れた洗浄効果及び除菌・殺菌効果を得ることができる。2つの水槽間は水中ファン61を設けて水の対流が可能とする事により、光触媒反応水が洗浄槽内の入れ歯34の洗浄を行うことが可能である。【０２６３】
特に、活性酸素種や過酸化水素を豊富に含む活性酸素を含有する水が入れ歯34に接触することで、入れ歯34に沈着している食べ物の滓やたばこのヤニが強力に酸化され、入れ歯34から汚れを除去することが容易となる。【０２６４】
しかも、光触媒反応水は強力な除菌・殺菌効果を有しているため、入れ歯34に付着している口腔内の常在菌や、入れ歯34に付着した食べ物の滓に繁殖する細菌や真菌類を除菌・殺菌し、入れ歯34を衛生的に保つことができる。【０２６５】
また水槽33を2分割としているため、光触媒反応槽にある光触媒体を損傷することなく、洗浄槽内に低周波超音波振動子22を設置する事が可能となり、超音波による強力な振動力を利用して汚れを浮かすことが可能となり、活性酸素種による酸化分解反応を促進させる事が可能である。【０２６６】
さらに、光触媒反応水に含まれる活性酸素種や過酸化水素は、有機物に触れて反応することにより速やかに水（H2O）や酸素（O2）等の無害な物質に変換されるため、人体に悪影響を与えることなく、安心して入れ歯34を装着することが可能である。【０２６７】
この入れ歯洗浄システムを用いる事により、医療器具62の洗浄を行う事も可能となる。【０２６８】
（iv）食器の洗浄に使用した例
次に、光触媒反応水を食器に接触させて、殺菌洗浄を行った例について述べる。たとえば、本発明に係る光触媒反応水生成装置１を食器洗い機の給水ホースの間に配設したり、食器洗い機と一体的に構成して光触媒反応水生成装置１で生成した光触媒反応水が食器に噴射されるようにすることで、別途薬剤等を添加することなく、安全で効果的、かつ、衛生的に食器を洗浄することができる。【０２６９】
すなわち、食事の際に使用した食器（皿や箸、ナイフやフォーク）は、食品が付着しており、特に、魚や肉に由来する油分や、穀類に由来するデンプン質の汚れが多いとされている。このような汚れは、微生物の繁殖の場となりやすく、また、次にこれらの食器を使用する際に、食品と触れることとなるため、非衛生的である。【０２７０】
したがって、水道水と共に食器用洗剤などを利用して、食事後の食器を洗浄することとなるが、食器洗いは家事の中でも重労働のひとつである。【０２７１】
また、水道水を食器に噴射して洗浄する食器洗い機などを利用することもできるが、油汚れは食器用洗剤などで効果的に落とすことができるものの、デンプン質の汚れは落としにくいのが現状であった。【０２７２】
そこで、食器洗い機から噴射される水を、本発明に係る光触媒反応水生成装置１で生成した光触媒反応水とすることにより、油汚れは勿論のこと、デンプン汚れなどでも、光触媒反応水が有する強力な酸化力により酸化して効果的に落とすことができ、しかも、食器を殺菌して衛生的な状態とすることができる。【０２７３】
しかも、食事の際に発酵食品、例えば納豆のように芽胞性の微生物を利用した発酵食品を食した場合であっても、先に示した光触媒反応水の殺菌効果の検証結果からもわかるように、十分に除菌することができる。【０２７４】
また、本例では、光触媒反応水を食器に接触させる手段として、食器洗い機にて光触媒反応水を噴射する例を示しているが、特にこれに限定されるものではなく、適当量の容器に光触媒反応水を貯水して、この貯水した光触媒反応水中に食器を浸漬するようにしても良い。【０２７５】
このように、光触媒反応水で食器を洗浄することにより、食器に光触媒反応水が付着したまま使用した場合であっても人体に安全で、しかも、食器の洗浄時には、十分に食器を衛生的な状態とすることができる。【０２７６】
（v）食品の洗浄に使用した例
次に、光触媒反応水を食品に接触させて、殺菌洗浄を行った例について述べる。たとえば、本発明に係る光触媒反応水生成装置１を食品加工用調理台などに配設し、野菜や果実の洗浄に利用することで、別途薬剤等を添加することなく、安全で衛生的な野菜や果実を得ることができる。【０２７７】
すなわち、野菜や果実は主に屋外で栽培されて収穫されるので、汚れや微生物や昆虫などが付着している場合がある。たとえば、キャベツなどの葉ものの野菜は、地面から比較的低い位置で栽培されるので泥などが付着しやすく、また、蛾や蝶などの卵が産み付けられ、幼虫が繁殖する場でもある。【０２７８】
したがって、野菜や果実は食用に供する前に洗浄を行うことが必要であるが、水で洗い流すだけでは、殺菌能力や洗浄能力に乏しく、効果的であるとは言い難い。【０２７９】
また、食品用の洗剤などで野菜や果実を洗浄することも可能であるが、洗剤に含まれる界面活性剤などの成分が、洗浄後の野菜や果実に残留するおそれがあり、このような成分が口に入ることは消費者感情として避けたいものである。【０２８０】
そこで、本発明に係る光触媒反応水生成装置１を調理台等と一体的に構成し、生成した光触媒反応水を、野菜や果実の洗浄に利用することで、付着した汚れを効果的に落とすことができ、しかも、昆虫や微生物を殺滅することができる。【０２８１】
しかも、野菜や果実は栽培時に農薬の噴霧を受けている場合が多いため、この光触媒反応水を用いて野菜や果実を洗浄することにより、付着している農薬を光触媒反応水に含まれる活性酸素種等で分解でき、人体への悪影響を低減することが可能となる。【０２８２】
しかも、光触媒反応水はいわゆるマイナスイオンを大量に含んでおり、葉ものの野菜などを萎れさせることなく、見た目の新鮮さを保持することができる。【０２８３】
光触媒反応水を野菜や果実に接触させる手段としては、適当量の容器に光触媒反応水を貯水して、この貯水した光触媒反応水中に浸漬するようにしても良く、また、霧状や雨滴状にして野菜や果実にかけるようにしても良い。【０２８４】
このように、光触媒反応水で野菜や果実を洗浄することにより、野菜や果実のみずみずしさを損なうことなく、人体に安全で、かつ、衛生的に野菜や果実の殺菌や洗浄を行うことができる。【０２８５】
（vi）精密機器の洗浄に使用した例
次に、精密機器の洗浄に、本発明に係る光触媒反応水生成装置１を使用した例について示す。たとえば、本発明に係る光触媒反応水生成装置１を、半導体製造用のシリコンウエハー洗浄機の給水ホースの間に配設したり、シリコンウエハー洗浄機と一体的に構成して、光触媒反応水生成装置１で生成した光触媒反応水がシリコンウエハーに触れるようにすることで、別途薬剤等を添加することなく、安全で効果的にシリコンウエハーを洗浄することができる。【０２８６】
すなわち、電子機器に利用されている半導体の製造過程において、不要部分の除去に伴ってシリコンウエハー上に微細なダストが生じる場合がある。このダストは、半導体製造において不良品の原因となるので、有機溶媒やキレート剤などの有機化合物を用いて除去することとなるが、このダストの除去に用いた有機化合物などもシリコンウエハー上に付着することとなり、除去する必要がある。【０２８７】
これらの有機化合物の除去には、過酸化水素水が使用されているが、取扱いに危険が伴うことと併せて、使用後の過酸化水素水を廃棄するにあたり処理を必要としている。【０２８８】
そこで、過酸化水素水の代替として、本発明に係る光触媒反応水生成装置で生成した光触媒反応水を用いることで、シリコンウエハーに付着した有機化合物を除去することができる。【０２８９】
しかも、光触媒反応水は、過酸化水素水に比して人体に接触しても影響が少なく安全性が高いため、取扱いが容易であり、作業能率を向上させることができる。【０２９０】
さらに、光触媒反応水に含まれる活性酸素種の酸化力は高いが、極めて不安定であり、その反応時間は短いため、連続的な半導体製造においても製造工程を時間的に妨げることなく洗浄を行うことが可能である。【０２９１】
なお、本例では、洗浄対象をシリコンウエハーとしているが、これに限定されるものではなく、プリント基板や電子部品など、様々な精密機器の洗浄に利用することができる。【０２９２】
（vii）トイレの貯水タンクに応用した例
次に、トイレに付設されている貯水タンクに、本発明に係る光触媒反応水生成装置１を一体的に配設し、光触媒反応水で便器を洗浄した例について図16を用いて説明する。このように便器を洗浄することで、別途薬剤等を添加することなく、トイレを衛生的に保つことができる。【０２９３】
すなわち、トイレに設置した便器は用便を行う場であることから、非常に汚れやすい。たとえば、糞便が付着して固化したり、尿が石化して沈着してしまうと、ブラシで擦るだけではなかなか落とすことができなかった。【０２９４】
また、用便後の汚物を汚水管へ流し込むための水をあらかじめタンクに貯水するタイプの便器では、この貯水に界面活性剤などの市販の洗浄剤を混入する方法により、汚れの付着を防止しているが、既に付着した汚れなどにはあまり効果が見られなかった。【０２９５】
そこで、本発明に係る光触媒反応水生成装置１を、たとえば図16のように配設して便器洗浄装置36とし、タンク44に貯えられた水31を光触媒反応水生成装置１に循環させ、貯水を光触媒反応水とすることで、便器に付着した汚れを酸化させて、効果的に落とすことができる。なお、図16では、光触媒反応水生成装置１の内部に収納されている光触媒体20に紫外線を照射するためのブラックライト９と、タンク44内の水31を給水口２から給水するための給水ポンプ32と、水31に酸素を混入させるための酸素供給管４は省略している。【０２９６】
そして、タンク44に貯えられた光触媒反応水は、ハンドル42を操作することで、水栓45が解放されて連絡管43から図示しない便器へ光触媒反応水が流れ込むこととなる。【０２９７】
しかも、光触媒反応水は実施例３で示唆されたように強力な殺菌効果を有しているので、便器や便器の周辺部に付着している汚染菌や糞便中の菌類を確実に殺菌してトイレを清浄に保つことができる。【０２９８】
さらに、光触媒反応水を用いて汚物を流し込むことで、便器で流された汚物が通過する汚水管にも光触媒反応水が接触することとなり、汚水管の汚れも落とすことができるので、汚水管の詰まりなどを防止することもできる。【０２９９】
併せて、光触媒反応水は優れた消臭効果を有しているので、トイレ内にこもった用便後の臭気や汚水管から逆流してくる臭気を分解して消臭することができ、トイレ内の環境を衛生的かつ快適に使用することができる。【０３００】
このようにして汚物と共に便器から流された光触媒反応水は、汚物や汚れなどの有機物と触れることで速やかに水や酸素となるので、環境に悪影響を与えるおそれもない。【０３０１】
これらの効果は、便器で汚物を流すたびに生起されるので、常にトイレを衛生的に保つことができると共に、トイレの掃除のために費やしていた労力を飛躍的に削減することができる。【０３０２】
（viii）洗濯機に使用した例
次に、光触媒反応水を衣類や布地に接触させて、殺菌洗浄を行った例について述べる。たとえば、本発明に係る光触媒反応水生成装置１を洗濯機などに配設し、衣類や布地の洗浄に利用することで、衛生的な状態とすることができる。【０３０３】
たとえば、衣類は長時間に亘って身につけていることが多く、体から分泌された汗や油分などが多く付着している。【０３０４】
したがって、衣類の着用後は洗濯を行うことが必要であるが、水で洗濯するだけでは洗浄能力に乏しく、効果的であるとは言い難い。【０３０５】
また、洗濯洗剤などで洗浄することも可能であるが、洗濯洗剤に含まれる界面活性剤などの成分が、衣類に残留してアレルギーの原因のひとつになることも考えられる。【０３０６】
そこで、洗濯機の洗濯槽に供給する水を、本発明に係る光触媒反応水生成装置１で生成した光触媒反応水とすることで、付着した汚れを効果的に落とすことができ、しかも、除菌することができるので、衣類を衛生的な状態とすることができる。【０３０７】
また、テーブルを拭くふきんや掃除用のぞうきん等は、その役割上汚れを拭き取ることとなるので、汚れが付着したり、微生物が繁殖し易い状態になるが、本発明に係る洗濯機で洗濯することにより、衛生的な状態に保つことができると共に、汚れや微生物などを拭き広げてしまうことを防止できる。【０３０８】
さらに、洗濯槽の外周は普段はよく見えないが、洗濯物との接触がないため汚れが付着しさらには雑菌の繁殖が進みやすい場所でもある。本装置を洗濯機に装着することにより、洗濯槽の外周におけるこれらの汚れ、雑菌の繁殖を防ぐことができる。【０３０９】
（ix）種籾の洗浄に使用した例
次に、光触媒反応水を種籾に接触させて、殺菌洗浄を行った例について述べる。たとえば、苗床に播種する前の種籾を、本発明に係る光触媒反応水生成装置１で生成した光触媒反応水に接触させることで、細菌やカビなどによる種苗の育成阻害を防止することができる。【０３１０】
すなわち、稲作を行うにあたり、田植えをするための苗を育てる必要があるが、水と空気が存在する状態で種を発芽させるため、微生物が繁殖する場合がある。繁殖した微生物は、苗の適性な成育を阻害したり、苗を腐敗させてしまうことがある。【０３１１】
それゆえ、苗床に播種する種籾は、殺菌を行う必要があるが、殺菌に使用した後の薬剤が自然界に流出して、環境に悪影響を与えるおそれが懸念されている。【０３１２】
また、一般の殺菌能力を有する薬剤は、植物の成育にも少なからず悪影響を及ぼすことが考えられる。【０３１３】
そこで、本発明に係る光触媒反応水生成装置１で生成した光触媒反応水と、種籾とを接触させて、種籾に付着している微生物等を殺菌することにより、薬効が残存して植物の生育に悪影響を与えるおそれがなく、また、環境への悪影響を防止することができる。【０３１４】
しかも、種籾の殺菌に別途薬剤を入手する必要がないので、稲作に要するコストを下げることができる。【０３１５】
このようにして、光触媒反応水生成装置１で生成した光触媒反応水を、洗浄する対象物に接触させることにより、人体に安全で、かつ、衛生的な状態としながら殺菌や洗浄を行うことができる。
【産業上の利用可能性】
【０３１６】
請求項１に記載の光触媒反応水生成装置では、光源からの光を光触媒体に照射して生じた活性酸素種を水中で拡散することにより、水に活性酸素種の機能を付与し、この水を媒体とした酸化反応を利用した微生物の除菌、寄生虫の駆虫、原虫類の駆除の少なくともいずれか１つを行うことができる。【０３１７】
具体的には、従来光触媒体表面のみでしか発現・作用しなかった強力な酸化力を持つ活性酸素種を水中に効率良く遊離させることにより、引き続いて活性酸素種を高効率に発現させる事が可能となり、速やかに水中へ移行させた活性酸素種が引き起こす強力な酸化作用により、光触媒反応水生成装置を小型化しても水中に活性酸素種を多量に生成でき、省電力で、かつ、コンパクトでありながら、優れた除菌効果、殺菌効果、洗浄効果、駆虫効果、駆除効果を生起する光触媒反応水を生成することができる。【０３１８】
また、請求項２に記載の光触媒反応水生成装置では、光触媒体は、光触媒体を励起させるための光源の周囲に配置したことで、光源から放射された光を光触媒体に効果的に照射することができ、水中に活性酸素種を十分に生成することができる。【０３１９】
また、請求項３に記載の光触媒反応水生成装置では、光触媒反応槽と、光触媒反応槽に水を供給する給水ポンプと、光触媒反応槽から光触媒反応水を排出する排出回路と、を備えると共に、光触媒反応槽は、貯水可能な密閉容器内に、この密閉容器内の水に活性酸素を発生させるための光触媒体と、この光触媒体を励起させるための光を放射する光源と、光触媒体表面で発生した活性酸素種を水中で拡散させるための拡散手段とを、配設して構成し、しかも、密閉容器は内壁面を、前記光を反射する鏡面としたことで、連続的に光触媒反応水を生成することができると共に、光触媒体に当たらずに密閉容器の壁に到達した光を反射して、再度光触媒体に照射することができるため、活性酸素種を豊富に含む光触媒反応水を生成することができる。【０３２０】
また、請求項４に記載の光触媒反応水生成装置では、光触媒体を励起させるための光源は、太陽光及び／または人工光を利用することで、太陽光を光触媒体に照射した場合は低コストでしかも強力な紫外線を、また、人工光を光触媒体に照射した場合は所定の波長の紫外線を選択的かつ効果的に照射できて、効率良く光触媒体を励起することができ、活性酸素種を豊富に含む光触媒反応水を生成することができる。【０３２１】
また、請求項５に記載の光触媒反応水生成装置では、光触媒体を励起させるための光源として、太陽光を利用する際には光ファイバーやプリズム等の反射体を利用し、水中で光触媒体に直接照射することで、太陽光を効果的に光触媒体に照射することができるため、活性酸素種を豊富に含む光触媒反応水を効率良く生成することができる。【０３２２】
また、請求項６に記載の光触媒反応水生成装置では、光触媒体を励起させるための光源として、人工光を利用する際の紫外線照射ランプは少なくとも350〜370nmの波長の紫外線を照射することで、光触媒体を効果的に励起することができて、活性酸素種を豊富に含む光触媒反応水を効率良く生成することができる。【０３２３】
また、請求項７に記載の光触媒反応水生成装置では、光触媒体は、有機または無機のフィルター体であってその表面をチタニア薄膜で被覆しているため、光触媒体の表面積を大きくすることができ、活性酸素種を豊富に含む光触媒反応水を効率良く生成することができる。【０３２４】
また、請求項８に記載の光触媒反応水生成装置では、光触媒体は、アルミニウム系金属のフィルター体であって、その表面をチタニア薄膜で被覆しているため、光触媒体に柔軟性を持たせることができ、しかも良好な加工性を付与することができる。【０３２５】
また、請求項９に記載の光触媒反応水生成装置では、光触媒体は表面にあらかじめアルミナ被膜を形成した金属製繊維体であって、その表面をチタニア薄膜で被覆しているため、金属繊維体上にチタニア薄膜が緻密に形成されて、効率良く活性酸素種を生じさせることができると共に、光触媒体の耐久性を高めることができる。【０３２６】
また、請求項10に記載の光触媒反応水生成装置では、金属製繊維体のアルミナ被膜は、金属繊維体を構成するアルミニウム系金属の融点の半分の温度まで５℃／分の割合以下で加熱し、その後アルミニウム系金属の融点直前まで加熱して形成することため、金属繊維体上のアルミナ被膜を緻密に形成することができて、チタニア薄膜と金属製繊維体との密着性を高めることができる。すなわち、水中での光触媒体の耐久性を向上させることができる。【０３２７】
また、請求項11に記載の光触媒反応水生成装置では、ガラス製繊維体またはセラミックス製繊維体または不織布であって、その表面をチタニア薄膜で被覆しているため、表面積を大きくすることができると共に、光触媒体を比較的安価に製造することができ、光触媒反応水生成装置を安価に製造することができる。【０３２８】
また、請求項12に記載の光触媒反応水生成装置では、チタニア薄膜を構成する酸化チタンは、アナターゼ型またはルチル型の結晶構造を含むことで、酸化チタンがアナターゼ型を含む場合は、光触媒体の焼成を低温で行うことができ、かつ焼成に要するエネルギーを低減することができて、光触媒反応水生成装置を安価に製造することができる。また、酸化チタンがルチル型を含む場合は、太陽光に含まれる紫外線の照射により活性酸素種を生じさせることができると共に、可視光の波長領域でも活性酸素種を生じさせることができる。【０３２９】
また、請求項13に記載の光触媒反応水生成装置では、活性酸素種を水中で拡散する拡散手段は、超音波振動子による100kHz以上の超音波及び／または水中ファンによる水流であって、光触媒体及び／または水を動かすこととしているため、光触媒体表面に生じた活性酸素種を速やかに水中に遊離させることができる。【０３３０】
また、請求項14に記載の光触媒反応水生成装置では、光触媒体に接触させる水は、酸素濃度を高めた水であることにより、光触媒体でより多くの活性酸素種を生じさせることができ、活性酸素種を豊富に含む光触媒反応水を生成することができる。【０３３１】
また、請求項15に記載の光触媒反応水生成装置では、前記酸素濃度を高めた水は、酸素、空気、オゾンの少なくともいずれか１種を水に接触させて生成することしているので、効率良く水中に酸素を溶存させることができ、しかも効率よく多くの活性酸素種を生じさせることができる。【０３３２】
さらに、請求項16に記載の光触媒反応水生成装置では、光触媒反応による殺菌作用の上流または下流または同位置において、254〜265nmの波長の紫外線を照射する殺菌灯による殺菌作用を行うことにより、光触媒体に接触する水や、光触媒反応水生成装置で生成した光触媒反応水に含まれている微生物をさらに効果的に除菌殺菌することができる。
【図１】
2007043592.tif 000010
【図２】
2007043592.tif 000011
【図３】
2007043592.tif 000012
【図４】
2007043592.tif 000013
【図５】
2007043592.tif 000014
【図６】
2007043592.tif 000015
【図７】
2007043592.tif 000016
【図８】
2007043592.tif 000017
【図９】
2007043592.tif 000018
【図１０】
2007043592.tif 000019
【図１１】
2007043592.tif 000020
【図１２】
2007043592.tif 000021
【図１３】
2007043592.tif 000022
【図１４】
2007043592.tif 000023
【図１５】
2007043592.tif 000024
【図１６】
2007043592.tif 000025
【図１７】
2007043592.tif 000026
【図１８】
2007043592.tif 000027
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
光触媒反応槽と、前記光触媒反応槽中に水を供給する給水ポンプと、前記光触媒反応槽から光触媒反応水を排出する排出回路と、を備えた光触媒反応水生成装置において、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことを特徴とする光触媒反応水生成装置。
【請求項２】
光触媒反応槽と、前記光触媒反応槽中に水を供給する給水ポンプと、前記光触媒反応槽から光触媒反応水を排出する排出回路と、を備えた光触媒反応水生成装置において、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことを特徴とする光触媒反応水生成装置。
【請求項３】
前記光触媒体は、光源の周囲に配置したことを特徴とする請求項１または請求項２に記載の光触媒反応水生成装置。
【請求項４】
前記光源は、太陽光及び／または人工光を利用することを特徴とする請求項１〜３に記載の光触媒反応水生成装置。
【請求項５】
前記光触媒体は、有機または無機のフィルター体であってその表面をチタニア薄膜で被覆していることを特徴とする請求項１〜４いずれか１項に記載の光触媒反応水生成装置。
【請求項６】
前記光触媒体は、ガラス製繊維体またはセラミックス製繊維体または不織布であって、その表面をチタニア薄膜で被覆していることを特徴とする請求項１〜４いずれか１項に記載の光触媒反応水生成装置。
【請求項７】
前記光触媒体は、アルミニウム系金属のフィルター体であって、その表面をチタニア薄膜で被覆していることを特徴とする請求項１〜４いずれか１項に記載の光触媒反応水生成装置。
【請求項８】
前記光触媒体は表面にあらかじめアルミナ被膜を形成した金属製繊維体であって、その表面をチタニア薄膜で被覆していることを特徴とする請求項１〜４いずれか１項に記載の光触媒反応水生成装置。
【請求項９】
前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成することを特徴とする請求項８に記載の光触媒反応水生成装置。
【請求項１０】
前記チタニア薄膜を構成する酸化チタンは、アナターゼ型またはルチル型の結晶構造を含むことを特徴とする請求項５〜９に記載の光触媒反応水生成装置。
【請求項１１】
前記光触媒体に接触させる水は、酸素濃度を高めた水であることを特徴とする請求項１〜１０いずれか１項に記載の光触媒反応水生成装置。
【請求項１２】
前記酸素濃度を高めた水は、酸素、空気、オゾンの少なくともいずれか１種を水に接触させて生成することを特徴とする請求項１１に記載の光触媒反応水生成装置。
【請求項１３】
光触媒反応による殺菌作用の上流または下流または同位置において、254〜265nmの波長の紫外線を照射する殺菌灯による殺菌作用を生起させることを特徴とする請求項１〜１２いずれか１項に記載の光触媒反応水生成装置。
【請求項１４】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行う方法。
【請求項１５】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行う方法。
【請求項１６】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行う方法。
【請求項１７】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行う方法。
【手続補正２】
【補正対象書類名】明細書
【補正対象項目名】００３２
【補正方法】変更
【補正の内容】
【００３２】
上記課題を解決するために、本発明に係る光触媒反応水生成装置では、光触媒反応槽と、前記光触媒反応槽中に水を供給する給水ポンプと、前記光触媒反応槽から光触媒反応水を排出する排出回路と、を備えた光触媒反応水生成装置において、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すこととした。
【手続補正３】
【補正対象書類名】明細書
【補正対象項目名】００３３
【補正方法】変更
【補正の内容】
【００３３】
さらに、以下の点にも特徴を有する。
（１）光触媒反応槽と、前記光触媒反応槽中に水を供給する給水ポンプと、前記光触媒反応槽から光触媒反応水を排出する排出回路と、を備えた光触媒反応水生成装置において、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すこと。
（２）前記光触媒体は、光源の周囲に配置したこと。
（３）前記光触媒体を励起させるための光源は、太陽光及び／または人工光を利用すること。
（４）前記光触媒体は、有機または無機のフィルター体であってその表面をチタニア薄膜で被覆していること。
（５）前記光触媒体は、ガラス製繊維体またはセラミックス製繊維体または不織布であって、その表面をチタニア薄膜で被覆していること。
（６）前記光触媒体は、アルミニウム系金属のフィルター体であって、その表面をチタニア薄膜で被覆していること。
（７）前記光触媒体は表面にあらかじめアルミナ被膜を形成した金属製繊維体であって、その表面をチタニア薄膜で被覆していること。
（８）前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成すること。
（９）前記チタニア薄膜を構成する酸化チタンは、アナターゼ型またはルチル型の結晶構造を含むこと。
（10）前記光触媒体に接触させる水は、酸素濃度を高めた水であること。
（11）前記酸素濃度を高めた水は、酸素、空気、オゾンの少なくともいずれか１種を水に接触させて生成すること。
（12）光触媒反応による殺菌作用の上流または下流または同位置において、254〜265nmの波長の紫外線を照射する殺菌灯による殺菌作用を生起させること。
また、本発明に係る対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うこととしている。
また、本発明に係る対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うこととしている。
また、本発明に係る魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うこととしている。
また、本発明に係る魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うこととしている。
【手続補正４】
【補正対象書類名】明細書
【補正対象項目名】０３１６
【補正方法】変更
【補正の内容】
【０３１６】
請求項１に記載の光触媒反応水生成装置では、光触媒反応槽と、前記光触媒反応槽中に水を供給する給水ポンプと、前記光触媒反応槽から光触媒反応水を排出する排出回路と、を備えた光触媒反応水生成装置において、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことにより、水に活性酸素種の機能を付与し、この水を媒体とした酸化反応を利用した微生物の除菌、寄生虫の駆虫、原虫類の駆除の少なくともいずれか１つを行うことができる。
【手続補正５】
【補正対象書類名】明細書
【補正対象項目名】０３１８
【補正方法】変更
【補正の内容】
【０３１８】
また、請求項２に記載の光触媒反応水生成装置では、光触媒反応槽と、前記光触媒反応槽中に水を供給する給水ポンプと、前記光触媒反応槽から光触媒反応水を排出する排出回路と、を備えた光触媒反応水生成装置において、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことで、水に活性酸素種の機能を付与し、この水を媒体とした酸化反応を利用した微生物の除菌、寄生虫の駆虫、原虫類の駆除の少なくともいずれか１つを行うことができる。
【手続補正６】
【補正対象書類名】明細書
【補正対象項目名】０３１９
【補正方法】変更
【補正の内容】
【０３１９】
また、請求項３に記載の光触媒反応水生成装置では、光触媒体は、光源の周囲に配置したことで、光源から放射された光を光触媒体に効果的に照射することができ、水中に活性酸素種を十分に生成することができる。
【手続補正７】
【補正対象書類名】明細書
【補正対象項目名】０３２１
【補正方法】変更
【補正の内容】
【０３２１】
また、請求項５に記載の光触媒反応水生成装置では、光触媒体は、有機または無機のフィルター体であってその表面をチタニア薄膜で被覆しているため、光触媒体の表面積を大きくすることができ、活性酸素種を豊富に含む光触媒反応水を効率良く生成することができる。
【手続補正８】
【補正対象書類名】明細書
【補正対象項目名】０３２２
【補正方法】変更
【補正の内容】
【０３２２】
また、請求項６に記載の光触媒反応水生成装置では、光触媒体は、ガラス製繊維体またはセラミックス製繊維体または不織布であって、その表面をチタニア薄膜で被覆しているため、表面積を大きくすることができると共に、光触媒体を比較的安価に製造することができ、光触媒反応水生成装置を安価に製造することができる。
【手続補正９】
【補正対象書類名】明細書
【補正対象項目名】０３２３
【補正方法】変更
【補正の内容】
【０３２３】
また、請求項７に記載の光触媒反応水生成装置では、光触媒体は、アルミニウム系金属のフィルター体であって、その表面をチタニア薄膜で被覆しているため、光触媒体に柔軟性を持たせることができ、しかも良好な加工性を付与することができる。
【手続補正１０】
【補正対象書類名】明細書
【補正対象項目名】０３２４
【補正方法】変更
【補正の内容】
【０３２４】
また、請求項８に記載の光触媒反応水生成装置では、光触媒体は表面にあらかじめアルミナ被膜を形成した金属製繊維体であって、その表面をチタニア薄膜で被覆しているため、金属繊維体上にチタニア薄膜が緻密に形成されて、効率良く活性酸素種を生じさせることができると共に、光触媒体の耐久性を高めることができる。
【手続補正１１】
【補正対象書類名】明細書
【補正対象項目名】０３２５
【補正方法】変更
【補正の内容】
【０３２５】
また、請求項９に記載の光触媒反応水生成装置では、金属製繊維体のアルミナ被膜は、金属繊維体を構成するアルミニウム系金属の融点の半分の温度まで５℃／分の割合以下で加熱し、その後アルミニウム系金属の融点直前まで加熱して形成することとしたため、金属繊維体上のアルミナ被膜を緻密に形成することができて、チタニア薄膜と金属製繊維体との密着性を高めることができる。すなわち、水中での光触媒体の耐久性を向上させることができる。
【手続補正１２】
【補正対象書類名】明細書
【補正対象項目名】０３２６
【補正方法】変更
【補正の内容】
【０３２６】
また、請求項１０に記載の光触媒反応水生成装置では、チタニア薄膜を構成する酸化チタンは、アナターゼ型またはルチル型の結晶構造を含むことで、酸化チタンがアナターゼ型を含む場合は、光触媒体の焼成を低温で行うことができ、かつ焼成に要するエネルギーを低減することができて、光触媒反応水生成装置を安価に製造することができる。また、酸化チタンがルチル型を含む場合は、太陽光に含まれる紫外線の照射により活性酸素種を生じさせることができると共に、可視光の波長領域でも活性酸素種を生じさせることができる。
【手続補正１３】
【補正対象書類名】明細書
【補正対象項目名】０３２７
【補正方法】変更
【補正の内容】
【０３２７】
また、請求項１１に記載の光触媒反応水生成装置では、光触媒体に接触させる水は、酸素濃度を高めた水であることにより、光触媒体でより多くの活性酸素種を生じさせることができ、活性酸素種を豊富に含む光触媒反応水を生成することができる。
【手続補正１４】
【補正対象書類名】明細書
【補正対象項目名】０３２８
【補正方法】変更
【補正の内容】
【０３２８】
また、請求項１２に記載の光触媒反応水生成装置では、前記酸素濃度を高めた水は、酸素、空気、オゾンの少なくともいずれか１種を水に接触させて生成することしているので、効率良く水中に酸素を溶存させることができ、しかも効率よく多くの活性酸素種を生じさせることができる。
【手続補正１５】
【補正対象書類名】明細書
【補正対象項目名】０３２９
【補正方法】変更
【補正の内容】
【０３２９】
また、請求項１３に記載の光触媒反応水生成装置では、光触媒反応による殺菌作用の上流または下流または同位置において、254〜265nmの波長の紫外線を照射する殺菌灯による殺菌作用を行うことにより、光触媒体に接触する水や、光触媒反応水生成装置で生成した光触媒反応水に含まれている微生物をさらに効果的に除菌殺菌することができる。
【手続補正１６】
【補正対象書類名】明細書
【補正対象項目名】０３３０
【補正方法】変更
【補正の内容】
【０３３０】
また、請求項１４に記載の対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うことにより、生成した光触媒反応水に微生物を接触させて除菌殺菌し、微生物を効果的に除菌殺菌することができる。
【手続補正１７】
【補正対象書類名】明細書
【補正対象項目名】０３３１
【補正方法】変更
【補正の内容】
【０３３１】
また、請求項１５に記載の対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うことにより、生成した光触媒反応水に微生物を接触させて除菌殺菌し、微生物を効果的に除菌殺菌することができる。
【手続補正１８】
【補正対象書類名】明細書
【補正対象項目名】０３３２
【補正方法】変更
【補正の内容】
【０３３２】
また、請求項１６に記載の魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うため、魚に寄生する寄生虫を駆虫する駆虫方法によれば、魚体の肌に寄生するハダムシや、魚体の鰓に寄生するエラムシなどの外寄生虫を駆虫することができ、これらの寄生虫に由来する魚の病気を予防したり、治療することができる。
また、請求項１７に記載の魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うため、魚に寄生する寄生虫を駆虫する駆虫方法によれば、魚体の肌に寄生するハダムシや、魚体の鰓に寄生するエラムシなどの外寄生虫を駆虫することができ、これらの寄生虫に由来する魚の病気を予防したり、治療することができる。
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
光触媒反応槽と、前記光触媒反応槽中に水を供給する給水ポンプと、前記光触媒反応槽から光触媒反応水を排出する排出回路と、を備えた光触媒反応水生成装置において、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことを特徴とする光触媒反応水生成装置。
【請求項２】
光触媒反応槽と、前記光触媒反応槽中に水を供給する給水ポンプと、前記光触媒反応槽から光触媒反応水を排出する排出回路と、を備えた光触媒反応水生成装置において、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すことを特徴とする光触媒反応水生成装置。
【請求項３】
前記光触媒体は、光源の周囲に配置したことを特徴とする請求項１または請求項２に記載の光触媒反応水生成装置。
【請求項４】
前記光源は、太陽光及び／または人工光を利用することを特徴とする請求項１〜３に記載の光触媒反応水生成装置。
【請求項５】
前記光触媒体は、ガラス製繊維体またはセラミックス製繊維体または不織布であって、その表面をチタニア薄膜で被覆していることを特徴とする請求項１〜４いずれか１項に記載の光触媒反応水生成装置。
【請求項６】
前記光触媒体は表面にあらかじめアルミナ被膜を形成した金属製繊維体であって、その表面をチタニア薄膜で被覆していることを特徴とする請求項１〜４いずれか１項に記載の光触媒反応水生成装置。
【請求項７】
前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成することを特徴とする請求項６に記載の光触媒反応水生成装置。
【請求項８】
前記チタニア薄膜を構成する酸化チタンは、アナターゼ型またはルチル型の結晶構造を含むことを特徴とする請求項５〜７に記載の光触媒反応水生成装置。
【請求項９】
前記光触媒体に接触させる水は、酸素濃度を高めた水であることを特徴とする請求項１〜８いずれか１項に記載の光触媒反応水生成装置。
【請求項１０】
前記酸素濃度を高めた水は、酸素、空気、オゾンの少なくともいずれか１種を水に接触させて生成することを特徴とする請求項９に記載の光触媒反応水生成装置。
【請求項１１】
光触媒反応による殺菌作用の上流または下流または同位置において、254〜265nmの波長の紫外線を照射する殺菌灯による殺菌作用を生起させることを特徴とする請求項１〜１０いずれか１項に記載の光触媒反応水生成装置。
【請求項１２】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行う方法。
【請求項１３】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行う方法。
【請求項１４】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、
光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行う方法。
【請求項１５】
光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、
前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、
光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行う方法。
【手続補正２】
【補正対象書類名】明細書
【補正対象項目名】００３３
【補正方法】変更
【補正の内容】
【００３３】
さらに、以下の点にも特徴を有する。
（１）光触媒反応槽と、前記光触媒反応槽中に水を供給する給水ポンプと、前記光触媒反応槽から光触媒反応水を排出する排出回路と、を備えた光触媒反応水生成装置において、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出すこと。
（２）前記光触媒体は、光源の周囲に配置したこと。
（３）前記光触媒体を励起させるための光源は、太陽光及び／または人工光を利用すること。
（４）前記光触媒体は、ガラス製繊維体またはセラミックス製繊維体または不織布であって、その表面をチタニア薄膜で被覆していること。
（５）前記光触媒体は表面にあらかじめアルミナ被膜を形成した金属製繊維体であって、その表面をチタニア薄膜で被覆していること。
（６）前記金属製繊維体の前記アルミナ被膜は、金属繊維体を構成するアルミニウム系金属の融点の半分の温度まで５℃／分の割合以下で加熱し、その後前記アルミニウム系金属の融点直前まで加熱して形成すること。
（７）前記チタニア薄膜を構成する酸化チタンは、アナターゼ型またはルチル型の結晶構造を含むこと。
（８）前記光触媒体に接触させる水は、酸素濃度を高めた水であること。
（９）前記酸素濃度を高めた水は、酸素、空気、オゾンの少なくともいずれか１種を水に接触させて生成すること。
（10）光触媒反応による殺菌作用の上流または下流または同位置において、254〜265nmの波長の紫外線を照射する殺菌灯による殺菌作用を生起させること。
また、本発明に係る対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うこととしている。
また、本発明に係る対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うこととしている。
また、本発明に係る魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うこととしている。
また、本発明に係る魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うこととしている。
【手続補正３】
【補正対象書類名】明細書
【補正対象項目名】０３２１
【補正方法】削除
【補正の内容】
【手続補正４】
【補正対象書類名】明細書
【補正対象項目名】０３２２
【補正方法】変更
【補正の内容】
【０３２２】
また、請求項５に記載の光触媒反応水生成装置では、光触媒体は、ガラス製繊維体またはセラミックス製繊維体または不織布であって、その表面をチタニア薄膜で被覆しているため、表面積を大きくすることができると共に、光触媒体を比較的安価に製造することができ、光触媒反応水生成装置を安価に製造することができる。
【手続補正５】
【補正対象書類名】明細書
【補正対象項目名】０３２３
【補正方法】削除
【補正の内容】
【手続補正６】
【補正対象書類名】明細書
【補正対象項目名】０３２４
【補正方法】変更
【補正の内容】
【０３２４】
また、請求項６に記載の光触媒反応水生成装置では、光触媒体は表面にあらかじめアルミナ被膜を形成した金属製繊維体であって、その表面をチタニア薄膜で被覆しているため、金属繊維体上にチタニア薄膜が緻密に形成されて、効率良く活性酸素種を生じさせることができると共に、光触媒体の耐久性を高めることができる。
【手続補正７】
【補正対象書類名】明細書
【補正対象項目名】０３２５
【補正方法】変更
【補正の内容】
【０３２５】
また、請求項７に記載の光触媒反応水生成装置では、金属製繊維体のアルミナ被膜は、金属繊維体を構成するアルミニウム系金属の融点の半分の温度まで５℃／分の割合以下で加熱し、その後アルミニウム系金属の融点直前まで加熱して形成することとしたため、金属繊維体上のアルミナ被膜を緻密に形成することができて、チタニア薄膜と金属製繊維体との密着性を高めることができる。すなわち、水中での光触媒体の耐久性を向上させることができる。
【手続補正８】
【補正対象書類名】明細書
【補正対象項目名】０３２６
【補正方法】変更
【補正の内容】
【０３２６】
また、請求項８に記載の光触媒反応水生成装置では、チタニア薄膜を構成する酸化チタンは、アナターゼ型またはルチル型の結晶構造を含むことで、酸化チタンがアナターゼ型を含む場合は、光触媒体の焼成を低温で行うことができ、かつ焼成に要するエネルギーを低減することができて、光触媒反応水生成装置を安価に製造することができる。また、酸化チタンがルチル型を含む場合は、太陽光に含まれる紫外線の照射により活性酸素種を生じさせることができると共に、可視光の波長領域でも活性酸素種を生じさせることができる。
【手続補正９】
【補正対象書類名】明細書
【補正対象項目名】０３２７
【補正方法】変更
【補正の内容】
【０３２７】
また、請求項９に記載の光触媒反応水生成装置では、光触媒体に接触させる水は、酸素濃度を高めた水であることにより、光触媒体でより多くの活性酸素種を生じさせることができ、活性酸素種を豊富に含む光触媒反応水を生成することができる。
【手続補正１０】
【補正対象書類名】明細書
【補正対象項目名】０３２８
【補正方法】変更
【補正の内容】
【０３２８】
また、請求項１０に記載の光触媒反応水生成装置では、前記酸素濃度を高めた水は、酸素、空気、オゾンの少なくともいずれか１種を水に接触させて生成することしているので、効率良く水中に酸素を溶存させることができ、しかも効率よく多くの活性酸素種を生じさせることができる。
【手続補正１１】
【補正対象書類名】明細書
【補正対象項目名】０３２９
【補正方法】変更
【補正の内容】
【０３２９】
また、請求項１１に記載の光触媒反応水生成装置では、光触媒反応による殺菌作用の上流または下流または同位置において、254〜265nmの波長の紫外線を照射する殺菌灯による殺菌作用を行うことにより、光触媒体に接触する水や、光触媒反応水生成装置で生成した光触媒反応水に含まれている微生物をさらに効果的に除菌殺菌することができる。
【手続補正１２】
【補正対象書類名】明細書
【補正対象項目名】０３３０
【補正方法】変更
【補正の内容】
【０３３０】
また、請求項１２に記載の対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うことにより、生成した光触媒反応水に微生物を接触させて除菌殺菌し、微生物を効果的に除菌殺菌することができる。
【手続補正１３】
【補正対象書類名】明細書
【補正対象項目名】０３３１
【補正方法】変更
【補正の内容】
【０３３１】
また、請求項１３に記載の対象物の殺菌や洗浄を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を対象物に接触させて、該対象物の殺菌や洗浄を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記対象物の殺菌や洗浄を行うことにより、生成した光触媒反応水に微生物を接触させて除菌殺菌し、微生物を効果的に除菌殺菌することができる。
【手続補正１４】
【補正対象書類名】明細書
【補正対象項目名】０３３２
【補正方法】変更
【補正の内容】
【０３３２】
また、請求項１４に記載の魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に100kHz〜500 kHzの超音波振動を付与するための超音波振動子と、を配設して構成し、光源からの光を光触媒体に照射するに際し、100kHz〜500 kHzの超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うため、魚に寄生する寄生虫を駆虫する駆虫方法によれば、魚体の肌に寄生するハダムシや、魚体の鰓に寄生するエラムシなどの外寄生虫を駆虫することができ、これらの寄生虫に由来する魚の病気を予防したり、治療することができる。
また、請求項１５に記載の魚の除菌や駆虫を行う方法では、光触媒反応槽と、前記光触媒反応槽中に水を供給する給水ポンプと、前記光触媒反応槽から光触媒反応水を排出する排出回路と、を備えた光触媒反応水生成装置で生成した光触媒反応水を魚に接触させて、魚の除菌や駆虫を行う方法であって、前記光触媒反応槽は、繊維体に形成し超音波振動により振動する自由端を有した、活性酸素種発生機能を有する光触媒体と、この光触媒体を励起させるための光を照射する光源と、前記光触媒体に500 kHz以上の超音波振動を付与するための超音波振動子と、を配設して構成し、光源からの光を光触媒体に照射するに際し、500 kHz以上の超音波振動を光触媒体に付与することによって、光触媒体の繊維体の自由端を振動させて前記光触媒体の表面と接触しながら流れる水の流速を高めて、光触媒体への光照射により生じた活性酸素種を光触媒体表面を流れる水に拡散して、水に活性酸素種の機能を付与し、この水を光触媒反応水として光触媒反応層から排出して取出して前記魚の除菌や駆虫を行うため、魚に寄生する寄生虫を駆虫する駆虫方法によれば、魚体の肌に寄生するハダムシや、魚体の鰓に寄生するエラムシなどの外寄生虫を駆虫することができ、これらの寄生虫に由来する魚の病気を予防したり、治療することができる。
【国際調査報告】
2007043592.tif 000028
2007043592.tif 000029
2007043592.tif 000030
2007043592.tif 000031